(57)【特許請求の範囲】
【請求項１】
無線通信システムにおいてユーザ機器（ＵＥ）によってＡＣＫ／ＮＡＣＫ（ａｃｋｎｏｗｌｅｄｇｅｍｅｎｔ／ｎｅｇａｔｉｖｅ−ａｃｋｎｏｗｌｅｄｇｅｍｅｎｔ）を送信する方法であって、前記方法は、
ＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）を介して下りリンク制御情報を受信することと、
前記下りリンク制御情報に基づいて下りリンク（ＤＬ）データを受信することと、
上りリンク（ＵＬ）制御チャネルリソースを用いて前記ＤＬデータに対するＡＣＫ／ＮＡＣＫを送信することと
を含み、
前記ＵＬ制御チャネルリソースは、
【数１】
0005908607.tif 000046
に基づいて決定され、
ｎ＊は、前記ＥＰＤＣＣＨに対して使用される最低のＥＣＣＥインデックスであり、
ｋは、前記ＥＰＤＣＣＨに対して使用されるアンテナポートのインデックスに対応するオフセットインデックスであり、
【数２】
0005908607.tif 000047
は、上位層シグナリングを介して前記ＵＬ制御チャネルリソースの開始オフセットを示す特定のオフセット値であり、
前記ＥＰＤＣＣＨに対して使用されるアンテナポートのインデックスは、前記ＵＥの識別子から導出される値である、方法。
【請求項２】
前記オフセットインデックスは、０〜３のうちの１つに対応する値を有し、前記ＥＰＤＣＣＨに対して使用されるアンテナポートのインデックスは、前記オフセットインデックスに関して異なる範囲の値を有する、請求項１に記載の方法。
【請求項３】
前記オフセットインデックスおよび前記アンテナポートのインデックスは、所定のマッピング関係を有する、請求項２に記載の方法。
【請求項４】
前記特定のオフセット値は、前記ＥＰＤＣＣＨに対して構成される、請求項１に記載の方法。
【請求項５】
無線通信システムにおいてｅＮＢによってＡＣＫ／ＮＡＣＫ（ａｃｋｎｏｗｌｅｄｇｅｍｅｎｔ／ｎｅｇａｔｉｖｅ−ａｃｋｎｏｗｌｅｄｇｅｍｅｎｔ）を受信する方法であって、前記方法は、
ＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）を介して下りリンク制御情報を送信することと、
前記下りリンク制御情報に基づいて下りリンク（ＤＬ）データチャネルを送信することと、
上りリンク（ＵＬ）制御チャネルリソースを用いて前記ＤＬデータチャネルに対するＡＣＫ／ＮＡＣＫを受信することと
を含み、
前記ＵＬ制御チャネルリソースは、
【数３】
0005908607.tif 000048
に基づいて決定され、
ｎ＊は、前記ＥＰＤＣＣＨに対して使用される最低のＥＣＣＥインデックスであり、
ｋは、前記ＥＰＤＣＣＨに対して使用されるアンテナポートのインデックスに対応するオフセットインデックスであり、
【数４】
0005908607.tif 000049
は、上位層シグナリングを介して前記ＵＬ制御チャネルリソースの開始オフセットを示す特定のオフセット値であり、
前記ＥＰＤＣＣＨに対して使用されるアンテナポートのインデックスは、ＵＥの識別子から導出される、方法。
【請求項６】
前記オフセットインデックスは、０〜３のうちの１つに対応する値を有し、前記ＥＰＤＣＣＨに対して使用されるアンテナポートのインデックスは、前記オフセットインデックスに関して異なる範囲の値を有する、請求項５に記載の方法。
【請求項７】
前記オフセットインデックスおよび前記アンテナポートのインデックスは、所定のマッピング関係を有する、請求項５に記載の方法。
【請求項８】
前記特定のオフセット値は、前記ＥＰＤＣＣＨに対して構成される、請求項５に記載の方法。
【請求項９】
通信システムにおいてＡＣＫ／ＮＡＣＫ（ａｃｋｎｏｗｌｅｄｇｅｍｅｎｔ／ｎｅｇａｔｉｖｅ−ａｃｋｎｏｗｌｅｄｇｅｍｅｎｔ）を送信するユーザ機器であって、前記ユーザ機器は、
ＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）を介して下りリンク制御情報を受信し、前記下りリンク制御情報に基づいて下りリンク（ＤＬ）データを受信するように構成された受信器と、
上りリンク（ＵＬ）制御チャネルリソースを用いて前記ＤＬデータに対するＡＣＫ／ＮＡＣＫを送信するように構成された送信器と、
前記受信器および前記送信器を制御するように構成されたプロセッサと
を備え、
前記ＵＬ制御チャネルリソースは、
【数５】
0005908607.tif 000050
に基づいて決定され、
ｎ＊は、前記ＥＰＤＣＣＨに対して使用される最低のＥＣＣＥインデックスであり、
ｋは、前記ＥＰＤＣＣＨに対して使用されるアンテナポートのインデックスに対応するオフセットインデックスであり、
【数６】
0005908607.tif 000051
は、上位層シグナリングを介して前記ＵＬ制御チャネルリソースの開始オフセットを示す特定のオフセット値であり、
前記ＥＰＤＣＣＨに対して使用されるアンテナポートのインデックスは、ＵＥの識別子から導出される、ユーザ機器。
【請求項１０】
前記オフセットインデックスは、０〜３のうちの１つに対応する値を有し、前記ＥＰＤＣＣＨに対して使用されるアンテナポートのインデックスは、前記オフセットインデックスに関して異なる範囲の値を有する、請求項９に記載のユーザ機器。
【請求項１１】
前記オフセットインデックスおよび前記アンテナポートのインデックスは、所定のマッピング関係を有する、請求項９に記載のユーザ機器。
【請求項１２】
前記特定のオフセット値は、前記ＥＰＤＣＣＨに対して構成される、請求項９に記載のユーザ機器。
【請求項１３】
通信システムにおいてＡＣＫ／ＮＡＣＫ（ａｃｋｎｏｗｌｅｄｇｅｍｅｎｔ／ｎｅｇａｔｉｖｅ−ａｃｋｎｏｗｌｅｄｇｅｍｅｎｔ）を受信するｅＮＢであって、前記ｅＮＢは、
ＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）を介して下りリンク制御情報を送信し、前記下りリンク制御情報に基づいて下りリンク（ＤＬ）データを送信するように構成された送信器と、
上りリンク（ＵＬ）制御チャネルリソースを用いて前記ＤＬデータに対するＡＣＫ／ＮＡＣＫを受信するように構成された受信器と、
前記受信器および前記送信器を制御するように構成されたプロセッサと
を備え、
前記ＵＬ制御チャネルリソースは、
【数７】
0005908607.tif 000052
に基づいて決定され、
ｎ＊は、前記ＥＰＤＣＣＨに対して使用される最低のＥＣＣＥインデックスであり、
ｋは、前記ＥＰＤＣＣＨに対して使用されるアンテナポートのインデックスに対応するオフセットインデックスであり、
【数８】
0005908607.tif 000053
は、上位層シグナリングを介して前記ＵＬ制御チャネルリソースの開始オフセットを示す特定のオフセット値であり、
前記ＥＰＤＣＣＨに対して使用されるアンテナポートのインデックスは、ＵＥの識別子から導出される、ｅＮＢ。
【請求項１４】
前記オフセットインデックスは、０〜３のうちの１つに対応する値を有し、前記ＥＰＤＣＣＨに対して使用されるアンテナポートのインデックスは、前記オフセットインデックスに関して異なる範囲の値を有する、請求項１３に記載のｅＮＢ。
【請求項１５】
前記オフセットインデックスおよび前記アンテナポートのインデックスは、所定のマッピング関係を有する、請求項１３に記載のｅＮＢ。
【請求項１６】
前記特定のオフセット値は、前記ＥＰＤＣＣＨに対して構成される、請求項１５に記載のｅＮＢ。
【発明の詳細な説明】
【技術分野】
【０００１】
以下の説明は、無線通信システムに関し、特に、改善された（Ｅｎｈａｎｃｅｄ）制御チャネルに基づく動作方法及び装置に関する。
【背景技術】
【０００２】
端末は、下りリンクデータ送信に関するスケジューリング情報を運ぶ下りリンク制御チャネルを検出し、それに基づいて基地局からの下りリンクデータを受信することができる。端末は、下りリンクデータのデコーディング成否を表す確認応答情報を生成して基地局に送信することができる。
【０００３】
既存の無線通信システムでは、下りリンクスケジューリング情報を運ぶ下りリンク制御チャネルから、確認応答情報の送信に用いられるリソースを決定することができる。また、既存の無線通信システムでは、下りリンク制御チャネルがセル−特定（ｃｅｌｌ−ｓｐｅｃｉｆｉｃ）参照信号のアンテナポートに基づいて送信され、端末は、セル−特定（ｃｅｌｌ−ｓｐｅｃｉｆｉｃ）参照信号のアンテナポートを用いて推定されたチャネルに基づいて下りリンク制御チャネルを検出及び復調することができる。
【発明の概要】
【発明が解決しようとする課題】
【０００４】
進展した無線通信システムでは、改善された物理下りリンク制御チャネル（Ｅｎｈａｎｃｅｄ−Ｐｈｙｓｉｃａｌ  Ｄｏｗｎｌｉｎｋ  Ｃｏｎｔｒｏｌ  Ｃｈａｎｎｅｌ；Ｅ−ＰＤＣＣＨ）を用いることができる。Ｅ−ＰＤＣＣＨは、セル−特定参照信号ではなく復調用参照信号（ＤＭＲＳ）ベースに送信されてもよく、複数ユーザ−多重入出力（Ｍｕｌｔｉ−Ｕｓｅｒ  Ｍｕｌｔｉｐｌｅ  Ｉｎｐｕｔ  Ｍｕｌｔｉｐｌｅ  Ｏｕｔｐｕｔ；ＭＵ−ＭＩＭＯ）を支援することもできる。
【０００５】
既存の確認応答送信のためのリソースを決定する方式をそのまま用いる場合に、異なった下りリンクスケジューリング情報に基づいて送信される下りリンクデータに対する確認応答情報が送信されるリソースが同一に決定（すなわち、衝突）される問題が発生することがある。また、一つのＥ−ＰＤＣＣＨが複数個のリソース領域を用いて送信される場合に、それぞれのリソース領域に該当するアンテナポートが互いに異なることがあるため、基地局のＥ−ＰＤＣＣＨ送信及び端末のＥ−ＰＤＣＣＨ復調が正しく行われるには、どのアンテポートを基準にすべきかが決定されなければならない。
【０００６】
本発明では、Ｅ−ＰＤＣＣＨと関連して上りリンク確認応答送信リソースを効率的に且つ正しく決定する方案を提供することを技術的課題とする。また、本発明では、Ｅ−ＰＤＣＣＨと関連してアンテナポートを明確に決定することによって、Ｅ−ＰＤＣＣＨ送信側及び受信側における正しい動作を支援する方案を提供することを技術的課題とする。
【０００７】
本発明で遂げようとする技術的課題は、以上で言及した技術的課題に制限されず、言及していない他の技術的課題は、以降の記載から、本発明の属する技術の分野における通常の知識を有する者には明確に理解されるであろう。
【課題を解決するための手段】
【０００８】
上記の技術的課題を解決するために、本発明の一実施例に係る無線通信システムにおいて端末が確認応答情報を送信する方法は、上りリンク制御チャネルリソースを用いて下りリンクデータチャネルに対する確認応答情報を送信することを含み、前記上りリンク制御チャネルリソースのインデックスは、前記端末の識別子から導出される下りリンク制御チャネルの代表アンテナポートインデックスに基づいて決定されてもよい。
【０００９】
上記の技術的課題を解決するために、本発明の他の実施例に係る無線通信システムにおいて確認応答情報を送信する端末装置は、受信器と、送信器と、プロセッサと、を備え、前記プロセッサは、上りリンク制御チャネルリソースを用いて下りリンクデータチャネルに対する確認応答情報を、前記送信器を介して送信するように構成され、前記上りリンク制御チャネルリソースのインデックスは、前記端末の識別子から導出される下りリンク制御チャネルの代表アンテナポートインデックスに基づいて決定されてもよい。
【００１０】
上記本発明に係る実施例において以下の事項を共通に適用することができる。
【００１１】
前記下りリンク制御チャネルの代表アンテナポートインデックスは、前記下りリンク制御チャネルの複数個のＣＣＥの中で前記端末の識別子から導出される代表ＣＣＥ（Ｃｏｎｔｒｏｌ  Ｃｈａｎｎｅｌ  Ｅｌｅｍｅｎｔ）に対応するアンテナポートのインデックスであってもよい。
【００１２】
前記上りリンク制御チャネルリソースのインデックスは、
【００１３】
【化１】
0005908607.tif 000002
であり、ｎ＊は、前記代表ＣＣＥのインデックスに対応する値であり、ｋは、前記下りリンク制御チャネルのＤＣＩ（Ｄｏｗｎｌｉｎｋ  Ｃｏｎｔｒｏｌ  Ｉｎｆｏｒｍａｔｉｏｎ）フォーマットの所定のフィールドによって指示される値であり、
【００１４】
【化２】
0005908607.tif 000003
は、上位層シグナリングによって前記上りリンク制御チャネルリソース領域の始点を知らせるオフセット値であってもよい。
【００１５】
前記端末の識別子から導出される前記アンテナポートのインデックスはＡＰであり、ＡＰ＝ｐ＋ｎ’＊Ｚであり、ｐは、前記下りリンク制御チャネルに対して使用可能なアンテナポートインデックスのうち最小値であり、ｎ’は、前記代表ＣＣＥのインデックスを決定するパラメータであり、Ｚは、１又は２であってもよい。
【００１６】
【化３】
0005908607.tif 000004
であり、ｎＣＣＥは、前記下りリンク制御チャネル送信に用いられるＣＣＥインデックスのうち最低の値であり、ｄは、一つのリソースブロック対（ｒｅｓｏｕｒｃｅ  ｂｌｏｃｋ  ｐａｉｒ）において形成されるＣＣＥの個数であり、Ｘは、前記端末の識別子であり、Ｌは、前記下りリンク制御チャネルの組合せレベルであり、ｍｏｄは、モジューロ演算を意味し、ｍｉｎ（Ｌ，ｄ）は、Ｌとｄのうち最小値を意味してもよい。
【００１７】
前記端末の識別子は、ｎＲＮＴＩであってもよい。
【００１８】
前記端末の識別子から導出される前記アンテナポートは、前記下りリンク制御チャネルの復調に用いられる参照信号のアンテナポートであってもよい。
【００１９】
前記端末が前記確認応答情報の送信のために前記上りリンク制御チャネルリソース及び追加的な上りリンク制御チャネルリソースを用いる場合に、前記追加的な上りリンク制御チャネルリソースのインデックスは、前記上りリンク制御チャネルリソースのインデックス＋１と決定されてもよい。
【００２０】
前記下りリンク制御チャネルの組合せレベルは、２以上であってもよい。
【００２１】
前記下りリンク制御チャネルは、ローカル（ｌｏｃａｌｉｚｅｄ）方式で送信されてもよい。
【００２２】
前記下りリンクデータチャネルの送信は、前記下りリンク制御チャネルの検出によって指示されてもよい。
【００２３】
前記無線通信システムはＦＤＤ（Ｆｒｅｑｕｅｎｃｙ  Ｄｉｖｉｓｉｏｎ  Ｄｕｐｌｅｘ）を支援してもよい。
【００２４】
サブフレームｎ−４における前記下りリンクデータチャネルに対する前記確認応答情報は、サブフレームｎで送信されてもよい。
【００２５】
前記上りリンク制御チャネルは、ＰＵＣＣＨ（Ｐｈｙｓｉｃａｌ  Ｕｐｌｉｎｋ  Ｃｏｎｔｒｏｌ  Ｃｈａｎｎｅｌ）であり、前記下りリンク制御チャネルは、Ｅ−ＰＤＣＣＨ（Ｅｎｈａｎｃｅｄ−Ｐｈｙｓｉｃａｌ  Ｄｏｗｎｌｉｎｋ  Ｃｏｎｔｒｏｌ  Ｃｈａｎｎｅｌ）であり、前記下りリンクデータチャネルは、ＰＤＳＣＨ（Ｐｈｙｓｉｃａｌ  Ｄｏｗｎｌｉｎｋ  Ｄａｔａ  Ｃｈａｎｎｅｌ）であり、前記ＣＣＥは、ＥＣＣＥ（Ｅｎｈａｎｃｅｄ  ＣＣＥ）であってもよい。
【００２６】
本発明について前述した一般的な説明と後述する詳細な説明はいずれも例示的なものであり、請求項記載の発明に関するさらなる説明のためのものである。
【発明の効果】
【００２７】
本発明によれば、Ｅ−ＰＤＣＣＨと関連して上りリンク確認応答送信リソースを効率的に且つ正しく決定する方案を提供することができる。また、本発明によれば、Ｅ−ＰＤＣＣＨと関連してアンテナポートを明確に決定することによってＥ−ＰＤＣＣＨ送信側及び受信側での正しい動作を支援する方案を提供することができる。
【００２８】
本発明で得られる効果は以上に言及した効果に制限されず、言及していない他の効果は、以降の記載から、本発明の属する技術の分野における通常の知識を有する者に明らかになるであろう。
【図面の簡単な説明】
【００２９】
本明細書に添付する図面は、本発明に関する理解を提供するためのもので、本発明の様々な実施の形態を示し、明細書の記載と共に本発明の原理を説明するためのものである。
【図１】図１は、無線フレームの構造を説明するための図である。
【図２】図２は、リソースグリッド（ｒｅｓｏｕｒｃｅ  ｇｒｉｄ）を示す図である。
【図３】図３は、下りリンクサブフレームの構造を示す図である。
【図４】図４は、上りリンクサブフレームの構造を示す図である。
【図５】図５は、下りリンク参照信号を説明するための図である。
【図６】図６及び図７は、本発明の一例によって、複数のリソース領域を通じて送信されるＥ−ＰＤＣＣＨを、代表アンテナポートを用いて復調する動作を説明するための図である。
【図７】図６及び図７は、本発明の一例によって、複数のリソース領域を通じて送信されるＥ−ＰＤＣＣＨを、代表アンテナポートを用いて復調する動作を説明するための図である。
【図８】図８は、本発明の他の例によって、複数のリソース領域を通じて送信されるＥ−ＰＤＣＣＨを、代表アンテナポートを用いて復調する動作を説明するための図である。
【図９】図９及び１０は、本発明の各例示に係るＥ−ＰＤＣＣＨベースの動作方法を説明するためのフローチャートである。
【図１０】図９及び１０は、本発明の各例示に係るＥ−ＰＤＣＣＨベースの動作方法を説明するためのフローチャートである。
【図１１】図１１は、本発明の一例に係る基地局装置及び端末装置の好適な実施例の構成を示す図である。
【発明を実施するための形態】
【００３０】
以下の実施例は、本発明の構成要素と特徴を所定の形態で結合したものである。各構成要素又は特徴は、特別の言及がない限り、選択的なものと考慮すればよい。各構成要素又は特徴は、他の構成要素や特徴と結合していない形態で実施されもてよく、一部の構成要素及び／又は特徴を結合して本発明の実施例を構成してもよい。本発明の実施例で説明される動作の順序は変更されてもよい。ある実施例の一部の構成や特徴は、他の実施例に含まれてもよく、他の実施例の対応する構成又は特徴に取り替えられてもよい。
【００３１】
本明細書において、本発明の実施例を、基地局と端末間のデータ送信及び受信の関係を中心に説明する。ここで、基地局は、端末と通信を直接行うネットワークの終端ノード（ｔｅｒｍｉｎａｌ  ｎｏｄｅ）としての意味を持つ。本文書で基地局によって行われるとした特定動作は、場合によっては基地局の上位ノード（ｕｐｐｅｒ  ｎｏｄｅ）によって行われることもある。
【００３２】
すなわち、基地局を含めた複数のネットワークノード（ｎｅｔｗｏｒｋ  ｎｏｄｅｓ）からなるネットワークにおいて端末との通信のために行われる様々な動作は、基地局、又は基地局以外の他のネットワークノードによって行われ得ることは明らかである。「基地局（ＢＳ：Ｂａｓｅ  Ｓｔａｔｉｏｎ）」は、固定局（ｆｉｘｅｄ  ｓｔａｔｉｏｎ）、Ｎｏｄｅ  Ｂ、ｅＮｏｄｅ  Ｂ（ｅＮＢ）、アクセスポイント（ＡＰ：Ａｃｃｅｓｓ  Ｐｏｉｎｔ）などの用語に置き換えてもよい。中継機は、ＲＮ（Ｒｅｌａｙ  Ｎｏｄｅ）、ＲＳ（Ｒｅｌａｙ  Ｓｔａｔｉｏｎ）などの用語に置き換えてもよい。また、「端末（Ｔｅｒｍｉｎａｌ）」は、ＵＥ（Ｕｓｅｒ  Ｅｑｕｉｐｍｅｎｔ）、ＭＳ（Ｍｏｂｉｌｅ  Ｓｔａｔｉｏｎ）、ＭＳＳ（Ｍｏｂｉｌｅ  Ｓｕｂｓｃｒｉｂｅｒ  Ｓｔａｔｉｏｎ）、ＳＳ（Ｓｕｂｓｃｒｉｂｅｒ  Ｓｔａｔｉｏｎ）などの用語に置き換えてもよい。
【００３３】
以下の説明で使われる特定用語は、本発明の理解を助けるために提供されるものであり、このような特定用語の使用は、本発明の技術的思想から逸脱しない範囲で他の形態に変更してもよい。
【００３４】
場合によって、本発明の概念が曖昧になることを避けるために、公知の構造及び装置は省略されたり、各構造及び装置の核心機能を中心にしたブロック図の形式で図示されることもある。また、本明細書全体を通じて同一の構成要素には同一の図面符号を付して説明する。
【００３５】
本発明の実施例は、無線接続システムであるＩＥＥＥ  ８０２システム、３ＧＰＰシステム、３ＧＰＰ  ＬＴＥ及びＬＴＥ−Ａ（ＬＴＥ−Ａｄｖａｎｃｅｄ）システム、並びに３ＧＰＰ２システムの少なくとも一つに開示された標準文書によって裏付けることができる。すなわち、本発明の実施例において、本発明の技術的思想を明確にするために説明を省いた段階又は部分は、上記の文書によって裏付けることができる。また、本文書で開示している用語はいずれも上記の標準文書によって説明することができる。
【００３６】
以下の技術は、ＣＤＭＡ（Ｃｏｄｅ  Ｄｉｖｉｓｉｏｎ  Ｍｕｌｔｉｐｌｅ  Ａｃｃｅｓｓ）、ＦＤＭＡ（Ｆｒｅｑｕｅｎｃｙ  Ｄｉｖｉｓｉｏｎ  Ｍｕｌｔｉｐｌｅ  Ａｃｃｅｓｓ）、ＴＤＭＡ（Ｔｉｍｅ  Ｄｉｖｉｓｉｏｎ  Ｍｕｌｔｉｐｌｅ  Ａｃｃｅｓｓ）、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）などのような様々な無線接続システムに用いることができる。ＣＤＭＡは、ＵＴＲＡ（Ｕｎｉｖｅｒｓａｌ  Ｔｅｒｒｅｓｔｒｉａｌ  Ｒａｄｉｏ  Ａｃｃｅｓｓ）やＣＤＭＡ２０００のような無線技術（ｒａｄｉｏ  ｔｅｃｈｎｏｌｏｇｙ）によって具現することができる。ＴＤＭＡは、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎｓ）／ＧＰＲＳ（Ｇｅｎｅｒａｌ  Ｐａｃｋｅｔ  Ｒａｄｉｏ  Ｓｅｒｖｉｃｅ）／ＥＤＧＥ（Ｅｎｈａｎｃｅｄ  Ｄａｔａ  Ｒａｔｅｓ  ｆｏｒ  ＧＳＭ  Ｅｖｏｌｕｔｉｏｎ）のような無線技術によって具現することができる。ＯＦＤＭＡは、ＩＥＥＥ  ８０２．１１（Ｗｉ−Ｆｉ）、ＩＥＥＥ  ８０２．１６（ＷｉＭＡＸ）、ＩＥＥＥ  ８０２−２０、Ｅ−ＵＴＲＡ（Ｅｖｏｌｖｅｄ  ＵＴＲＡ）などのような無線技術によって具現することができる。ＵＴＲＡはＵＭＴＳ（Ｕｎｉｖｅｒｓａｌ  Ｍｏｂｉｌｅ  ＴｅｌｅｃｏｍｍｕｎｉｃａｔｉｏｎｓＳｙｓｔｅｍ）の一部である。３ＧＰＰ（３ｒｄ  Ｇｅｎｅｒａｔｉｏｎ  Ｐａｒｔｎｅｒｓｈｉｐ  Ｐｒｏｊｅｃｔ）  ＬＴＥ（ｌｏｎｇｔｅｒｍ  ｅｖｏｌｕｔｉｏｎ）は、Ｅ−ＵＴＲＡを使用するＥ−ＵＭＴＳ（Ｅｖｏｌｖｅｄ  ＵＭＴＳ）の一部で、下りリンクにおいてＯＦＤＭＡを採用し、上りリンクにおいてＳＣ−ＦＤＭＡを採用する。ＬＴＥ−Ａ（Ａｄｖａｎｃｅｄ）は、３ＧＰＰ  ＬＴＥの進展である。ＷｉＭＡＸは、ＩＥＥＥ  ８０２．１６ｅ規格（Ｗｉｒｅｌｅｓｓ  ＭＡＮ−ＯＦＤＭＡ  Ｒｅｆｅｒｅｎｃｅ  Ｓｙｓｔｅｍ）及び進展したＩＥＥＥ  ８０２．１６ｍ規格（Ｗｉｒｅｌｅｓｓ  ＭＡＮ−ＯＦＤＭＡ  Ａｄｖａｎｃｅｄ  ｓｙｓｔｅｍ）によって説明することができる。明確性のために、以下では３ＧＰＰ  ＬＴＥ及び３ＧＰＰ  ＬＴＥ−Ａシステムを中心に説明するが、本発明の技術的思想がこれに制限されることはない。
【００３７】
（無線フレーム構造）
図１を参照して３ＧＰＰ  ＬＴＥシステムの無線フレーム構造について説明する。
【００３８】
セルラーＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘ）無線パケット通信システムにおいて、上り／下りリンクデータパケット送信はサブフレーム（ｓｕｂｆｒａｍｅ）単位で行われ、１サブフレームは複数のＯＦＤＭシンボルを含む一定時間区間で定義される。３ＧＰＰ  ＬＴＥ標準では、ＦＤＤ（Ｆｒｅｑｕｅｎｃｙ  Ｄｉｖｉｓｉｏｎ  Ｄｕｐｌｅｘ）に適用可能なタイプ１の無線フレーム（ｒａｄｉｏ  ｆｒａｍｅ）構造と、ＴＤＤ（Ｔｉｍｅ  Ｄｉｖｉｓｉｏｎ  Ｄｕｐｌｅｘ）に適用可能なタイプ２の無線フレーム構造を支援する。
【００３９】
図１（ａ）は、タイプ１の無線フレーム構造を示す図である。１個の無線フレーム（ｒａｄｉｏｆｒａｍｅ）は１０個のサブフレーム（ｓｕｂｆｒａｍｅ）で構成され、１個のサブフレームは時間領域（ｔｉｍｅ  ｄｏｍａｉｎ）において２個のスロット（ｓｌｏｔ）で構成される。１サブフレームを送信するために掛かる時間をＴＴＩ（ｔｒａｎｓｍｉｓｓｉｏｎ  ｔｉｍｅ  ｉｎｔｅｒｖａｌ）といい、例えば、１サブフレームの長さは１ｍｓで、１スロットの長さは０．５ｍｓであってよい。１スロットは時間領域において複数のＯＦＤＭシンボルを含み、周波数領域において複数のリソースブロック（Ｒｅｓｏｕｒｃｅ  Ｂｌｏｃｋ；ＲＢ）を含む。３ＧＰＰ  ＬＴＥシステムでは下りリンクにおいてＯＦＤＭＡを用いるため、ＯＦＤＭシンボルが１つのシンボル区間を表す。ＯＦＤＭシンボルはまた、ＳＣ−ＦＤＭＡシンボル又はシンボル区間と呼ばれることもある。リソースブロック（Ｒｅｓｏｕｒｃｅ  Ｂｌｏｃｋ；ＲＢ）はリソース割当単位であり、１スロットにおいて複数個の連続した副搬送波（ｓｕｂｃａｒｒｉｅｒ）を含むことができる。
【００４０】
１スロットに含まれるＯＦＤＭシンボルの数は、ＣＰ（Ｃｙｃｌｉｃ  Ｐｒｅｆｉｘ）の構成（ｃｏｎｆｉｇｕｒａｔｉｏｎ）によって異なることがある。ＣＰには、拡張ＣＰ（ｅｘｔｅｎｄｅｄ  ＣＰ）と正規ＣＰ（ｎｏｒｍａｌ  ＣＰ）がある。例えば、ＯＦＤＭシンボルが正規ＣＰによって構成された場合、１スロットに含まれるＯＦＤＭシンボルの数は７個であってよい。ＯＦＤＭシンボルが拡張ＣＰによって構成された場合、１  ＯＦＤＭシンボルの長さが増えるため、１スロットに含まれるＯＦＤＭシンボルの数は正規ＣＰの場合に比べて少ない。拡張ＣＰの場合に、例えば、１スロットに含まれるＯＦＤＭシンボルの数は６個であってよい。端末が高速で移動するなどの場合のようにチャネル状態が安定していない場合、シンボル間干渉をより減らすために拡張ＣＰを用いらればよい。
【００４１】
図１（ｂ）は、タイプ２の無線フレーム構造を示す図である。タイプ２の無線フレームは、２個のハーフフレーム（ｈａｌｆ  ｆｒａｍｅ）で構成され、各ハーフフレームは、５個のサブフレームと、ＤｗＰＴＳ（Ｄｏｗｎｌｉｎｋ  Ｐｉｌｏｔ  Ｔｉｍｅ  Ｓｌｏｔ）、保護区間（Ｇｕａｒｄ  Ｐｅｒｉｏｄ；ＧＰ）及びＵｐＰＴＳ（Ｕｐｌｉｎｋ  Ｐｉｌｏｔ  Ｔｉｍｅ  Ｓｌｏｔ）で構成され、１個のサブフレームは２個のスロットで構成される。ＤｗＰＴＳは、端末での初期セル探索、同期化又はチャネル推定のために用いられる。ＵｐＰＴＳは、基地局でチャネル推定及び端末と上り送信同期を取るために用いられる。保護区間は、上りリンクと下りリンクとの間に下りリンク信号の多重経路遅延によって上りリンクで生じる干渉を除去するための区間である。一方、無線フレームのタイプによらず、１個のサブフレームは２個のスロットで構成される。
【００４２】
無線フレームの構造は例示に過ぎず、無線フレームに含まれるサブフレームの数、サブフレームに含まれるスロットの数、又はスロットに含まれるシンボルの数は様々に変更されてもよい。
【００４３】
図２は、下りリンクスロットでのリソースグリッド（ｒｅｓｏｕｒｃｅ  ｇｒｉｄ）を示す図である。同図では、１個の下りリンクスロットが時間領域において７個のＯＦＤＭシンボルを含み、１個のリソースブロック（ＲＢ）が周波数領域において１２個の副搬送波を含むとしているが、本発明はこれに制限されない。例えば、正規ＣＰでは１スロットが７  ＯＦＤＭシンボルを含むが、拡張ＣＰでは１スロットが６  ＯＦＤＭシンボルを含むことができる。リソースグリッド上のそれぞれの要素をリソース要素（ｒｅｓｏｕｒｃｅ  ｅｌｅｍｅｎｔ）という。１リソースブロックは１２×７リソース要素を含んでいる。下りリンクスロットに含まれるリソースブロックのＮＤＬの個数は下りリンク送信帯域幅による。上りリンクスロットの構造は下りリンクスロットの構造と同一であってよい。
【００４４】
（下りリンクサブフレーム構造）
図３は、下りリンクサブフレームの構造を示す図である。一つのサブフレームにおいて第１のスロットの先頭部における最大３個のＯＦＤＭシンボルは、制御チャネルが割り当てられる制御領域に該当する。残りのＯＦＤＭシンボルは、物理下りリンク共有チャネル（Ｐｈｙｓｉｃａｌ  Ｄｏｗｎｌｉｎｋ  Ｓｈａｒｅｄ  Ｃｈａｎｃｅｌ；ＰＤＳＣＨ）が割り当てられるデータ領域に該当する。３ＧＰＰ  ＬＴＥシステムにおいて用いられる下りリンク制御チャネルには、例えば、物理制御フォーマット指示子チャネル（Ｐｈｙｓｉｃａｌ  Ｃｏｎｔｒｏｌ  Ｆｏｒｍａｔ  Ｉｎｄｉｃａｔｏｒ  Ｃｈａｎｎｅｌ；ＰＣＦＩＣＨ）、物理下りリンク制御チャネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）、物理ＨＡＲＱ指示子チャネル（Ｐｈｙｓｉｃａｌ  Ｈｙｂｒｉｄ  ａｕｔｏｍａｔｉｃ  ｒｅｐｅａｔ  ｒｅｑｕｅｓｔ  Ｉｎｄｉｃａｔｏｒ  Ｃｈａｎｎｅｌ；ＰＨＩＣＨ）などがある。ＰＣＦＩＣＨは、サブフレームの最初のＯＦＤＭシンボルで送信され、サブフレーム内の制御チャネル送信に使われるＯＦＤＭシンボルの個数に関する情報を含む。ＰＨＩＣＨは、上りリンク送信の応答としてＨＡＲＱ  ＡＣＫ／ＮＡＣＫ信号を含む。ＰＤＣＣＨを介して送信される制御情報を下りリンク制御情報（Ｄｏｗｎｌｉｎｋ  Ｃｏｎｔｒｏｌ  Ｉｎｆｏｒｍａｔｉｏｎ；ＤＣＩ）という。ＤＣＩは、上りリンク又は下りリンクのスケジューリング情報を含んだり、任意の端末グループに対する上りリンク送信電力制御命令を含む。
【００４５】
ＰＤＣＣＨは、下りリンク共有チャネル（ＤＬ−ＳＣＨ）のリソース割当及び送信フォーマット、上りリンク共有チャネル（ＵＬ−ＳＣＨ）のリソース割当情報、ページングチャネル（ＰＣＨ）のページング情報、ＤＬ−ＳＣＨ上のシステム情報、ＰＤＳＣＨ上で送信されるランダムアクセス応答（Ｒａｎｄｏｍ  Ａｃｃｅｓｓ  Ｒｅｓｐｏｎｓｅ）のような上位層制御メッセージのリソース割当、任意の端末グループ内の個別端末に対する送信電力制御命令のセット、送信電力制御情報、ＶｏＩＰ（Ｖｏｉｃｅ  ｏｖｅｒ  ＩＰ）の活性化などを含むことができる。複数のＰＤＣＣＨが制御領域内で送信されてもよく、端末は複数のＰＤＣＣＨをモニタすることができる。ＰＤＣＣＨは、一つ以上の連続する制御チャネル要素（Ｃｏｎｔｒｏｌ  Ｃｈａｎｎｅｌ  Ｅｌｅｍｅｎｔ；ＣＣＥ）の組合せ（ａｇｇｒｅｇａｔｉｏｎ）で送信される。ＣＣＥは、無線チャネルの状態に基づくコーディングレートでＰＤＣＣＨを提供するために用いられる論理割当単位である。ＣＣＥは、複数個のリソース要素グループに対応する。ＰＤＣＣＨのフォーマットと利用可能なビット数は、ＣＣＥの個数とＣＣＥによって提供されるコーディングレートとの相関関係によって決定される。基地局は、端末に送信されるＤＣＩによってＰＤＣＣＨフォーマットを決定し、制御情報に巡回冗長検査（Ｃｙｃｌｉｃ  Ｒｅｄｕｎｄａｎｃｙ  Ｃｈｅｃｋ；ＣＲＣ）を付加する。ＣＲＣは、ＰＤＣＣＨの所有者又は用途によって無線ネットワーク臨時識別子（Ｒａｄｉｏ  Ｎｅｔｗｏｒｋ  Ｔｅｍｐｏｒａｒｙ  Ｉｄｅｎｔｉｆｉｅｒ；ＲＮＴＩ）という識別子でマスクされる。ＰＤＣＣＨが特定端末に対するものであれば、端末のｃｅｌｌ−ＲＮＴＩ（Ｃ−ＲＮＴＩ）識別子をＣＲＣにマスクすることができる。又は、ＰＤＣＣＨがページングメッセージに対するものであれば、ページング指示子識別子（Ｐａｇｉｎｇ  Ｉｎｄｉｃａｔｏｒ  Ｉｄｅｎｔｉｆｉｅｒ；Ｐ−ＲＮＴＩ）をＣＲＣにマスクすることもできる。ＰＤＣＣＨがシステム情報（より具体的に、システム情報ブロック（ＳＩＢ））に対するものであれば、システム情報識別子及びシステム情報ＲＮＴＩ（ＳＩ−ＲＮＴＩ）をＣＲＣにマスクすることもできる。端末のランダムアクセスプリアンブルの送信に対する応答であるランダムアクセス応答を表すために、ランダムアクセス−ＲＮＴＩ（ＲＡ−ＲＮＴＩ）をＣＲＣにマスクすることもできる。
【００４６】
（ＰＤＣＣＨプロセシング）
ＰＤＣＣＨをリソース要素上にマップするとき、連続した論理割当単位である制御チャネル要素（ＣＣＥ）が用いられる。１つのＣＣＥは複数（例えば、９個）のリソース要素グループ（ＲＥＧ）を含み、１つのＲＥＧは、参照信号（ＲＳ）を除いた状態で隣接する４つのＲＥで構成される。
【００４７】
特定のＰＤＣＣＨのために必要なＣＣＥの個数は、制御情報のサイズであるＤＣＩペイロード、セル帯域幅、チャネル符号化率などによって可変する。具体的に、特定のＰＤＣＣＨのためのＣＣＥの個数は、下表１のようにＰＤＣＣＨフォーマットによって定義できる。
【００４８】
【表１】
0005908607.tif 000005
ＰＤＣＣＨには上記４つのフォーマットのいずれか一つが用いられればよいが、それが端末には知らせられない。そのため、端末にとってはＰＤＣＣＨフォーマットを知っていないままデコーディングを行わなければならない。これをブラインドデコーディングという。ただし、端末が、下りリンクに使用可能な全てのＣＣＥを各ＰＤＣＣＨフォーマットに対してデコードすることは大きい負担となるため、スケジューラに対する制約とデコーディング試み回数を考慮のうえ、探索空間（Ｓｅａｒｃｈ  Ｓｐａｃｅ）が定義される。
【００４９】
すなわち、探索空間は、組合せレベル（Ａｇｇｒｅｇａｔｉｏｎ  Ｌｅｖｅｌ）上で端末がデコーディングを試みるべきＣＣＥからなる候補（ｃａｎｄｉｄａｔｅ）ＰＤＣＣＨの組合せである。ここで、組合せレベル及びＰＤＣＣＨ候補の数を、下表２のように定義することができる。
【００５０】
【表２】
0005908607.tif 000006
上の表２からわかるように、４通りの組合せレベルが存在し、端末は各組合せレベルによって複数個の探索空間を有するようになる。また、表２で示すように、探索空間を端末−特定探索空間と共通探索空間とに区別することができる。端末−特定探索空間は特定の端末のためのもので、各端末は端末−特定探索空間をモニタ（可能なＤＣＩフォーマットによってＰＤＣＣＨ候補の組合せに対してデコーディングを試みること）して、ＰＤＣＣＨにマスクされているＲＮＴＩ及びＣＲＣを確認し、有効であれば、制御情報を獲得することができる。
【００５１】
共通探索空間は、システム情報に対する動的スケジューリングやページングメッセージなどのように、複数個の端末又は全ての端末がＰＤＣＣＨを受信する必要がある場合のためのものである。ただし、共通探索空間は、リソース運用上、特定端末のためのものとして用いられてもよい。また、共通探索空間は端末−特定探索空間とオーバーラップされてもよい。
【００５２】
上述したように、端末は探索空間に対してデコーディングを試みるが、このデコーディング試みの回数は、ＤＣＩフォーマット、及びＲＲＣ（Ｒａｄｉｏ  Ｒｅｓｏｕｒｃｅ  Ｃｏｎｔｒｏｌ）シグナリングを通じて決定される送信モード（Ｔｒａｎｓｍｉｓｓｉｏｎ  ｍｏｄｅ）によって決定される。搬送波集約（Ｃａｒｒｉｅｒ  Ａｇｇｒｅｇａｔｉｏｎ）が適用されない場合、端末は、共通探索空間に対しては、ＰＤＣＣＨ候補６個のそれぞれに対して２種類のＤＣＩサイズ（ＤＣＩフォーマット０／１Ａ／３／３Ａ、及びＤＣＩフォーマット１Ｃ）を考慮しなければならず、最大１２回のデコーディングを試みる必要がある。端末特定探索空間に対しては、ＰＤＣＣＨ候補数（６＋６＋２＋２＝１６）に対して２種類のＤＣＩサイズを考慮しなければならず、最大３２回のデコーディングを試みる必要がある。したがって、搬送波集約が適用されない場合、最大４４回のデコーディングを試みる必要がある。
【００５３】
（改善された（Ｅｎｈａｎｃｅｄ）制御チャネル）
改善された制御チャネルの一例として、Ｅ−ＰＤＣＣＨ（Ｅｎｈａｎｃｅｄ  ＰＤＣＣＨ）について説明する。
【００５４】
前述したＤＣＩフォーマットに含まれた制御情報は、ＬＴＥ／ＬＴＥ−Ａに定義されたＰＤＣＣＨを介して送信されることを中心に説明したが、ＰＤＣＣＨでなく他の下りリンク制御チャネル、例えば、Ｅ−ＰＤＣＣＨにも適用可能である。Ｅ−ＰＤＣＣＨは、端末のためのスケジューリング割当などのＤＣＩを運ぶ（ｃａｒｒｙ）制御チャネルの新しい形態に該当し、セル間干渉調整（ＩＣＩＣ）、ＣｏＭＰ、ＭＵ−ＭＩＭＯなどの技法を效果的に支援するために導入できる。
【００５５】
このようなＥ−ＰＤＣＣＨは、既存のＬＴＥ／ＬＴＥ−ＡシステムにおいてＰＤＣＣＨ送信のために定義される領域（例えば、図３の制御領域）以外の時間−周波数リソース領域（例えば、図３のデータ領域）に割り当てられるという点で、既存のＰＤＣＣＨと区別される（以下では、既存のＰＤＣＣＨを、Ｅ−ＰＤＣＣＨと区別するために、レガシー−ＰＤＣＣＨ（ｌｅｇａｃｙ−ＰＤＣＣＨ）と称する）。例えば、Ｅ−ＰＤＣＣＨのリソース要素へのマップは、時間領域では下りリンクサブフレームの先頭Ｎ（例えば、Ｎ≦４）個のＯＦＤＭシンボルを除いたＯＦＤＭシンボルにマップされ、周波数領域では半−静的に割り当てられたリソースブロック（ＲＢ）のセットにマップされることと表現できる。
【００５６】
また、Ｅ−ＰＤＣＣＨの導入と類似の理由で、上りリンク送信に対するＨＡＲＱ  ＡＣＫ／ＮＡＣＫ情報を運ぶ新しい制御チャネルとしてＥ−ＰＨＩＣＨが定義されてもよく、下りリンク制御チャネル送信に用いられるリソース領域に関する情報を運ぶ新しい制御チャネルとしてＥ−ＰＣＦＩＣＨが定義されてもよい。このようなＥ−ＰＤＣＣＨ、Ｅ−ＰＨＩＣＨ及び／又はＥ−ＰＣＦＩＣＨを総称してＥｎｈａｎｃｅｄ−制御チャネルと呼ぶことができる。
【００５７】
ＥＲＥＧ（Ｅｎｈａｎｃｅｄ  ＲＥＧ）をＥｎｈａｎｃｅｄ−制御チャネルのリソース要素へのマップを定義するために用いることができる。例えば、一つの物理リソースブロック対（ＰＲＢ  ｐａｉｒ）に対して、１６個のＥＲＥＧ（すなわち、ＥＲＥＧ  ０からＥＲＥＧ  １５）が存在できる。一つのＰＲＢ上でＤＭＲＳ（ＤｅＭｏｄｕｌａｔｉｏｎ  Ｒｅｆｅｒｅｎｃｅ  Ｓｉｇｎａｌ）がマップされたＲＥを除いた残りのＲＥに対して、０から１５までの番号がつけられる。番号のつけられる順序は、まず、周波数の増加する順序に従い、続いて、時間の増加する順序に従う。例えば、ｉという番号がつけられたＲＥが一つのＥＲＥＧ  ｉを構成する。
【００５８】
Ｅｎｈａｎｃｅｄ−制御チャネルは１つ又は複数個のＥＣＣＥ（Ｅｎｈａｎｃｅｄ  ＣＣＥ）の組合せ（ａｇｇｒｅｇａｔｉｏｎ）を用いて送信することができる。それぞれのＥＣＣＥは、１つ又は複数個のＥＲＥＧを含むことができる。ＥＣＣＥ当たりのＥＲＥＧの個数は、例えば、４又は８であってよい（正規ＣＰの一般サブフレームの場合は４）。
【００５９】
Ｅｎｈａｎｃｅｄ−制御チャネルに対して利用可能なＥＣＣＥには０からＮＥＣＣＥ−１まで番号を付けることができる。ＮＥＣＣＥの値は、例えば、１、２、４、８、１６又は３２であってよい。
【００６０】
Ｅｎｈａｎｃｅｄ−制御チャネルの送信のために設定されたＰＲＢ対のＲＥの個数は、次の条件、ｉ）、ｉｉ）及びｉｉｉ）を満たすＲＥの個数と定義できる。ｉ）ＰＲＢ対における１６個のＥＲＥＧのいずれか一ＥＲＥＧの一部であること、ｉｉ）ＣＲＳ（Ｃｅｌｌ−ｓｐｅｃｉｆｉｃ  Ｒｅｆｅｒｅｎｃｅ  Ｓｉｇｎａｌ）又はＣＳＩ−ＲＳ（Ｃｈａｎｎｅｌ  Ｓｔａｔｅ  Ｉｎｆｏｒｍａｔｉｏｎ−Ｒｅｆｅｒｅｎｃｅ  Ｓｉｇｎａｌ）のために用いられないこと、及びｉｉｉ）Ｅｎｈａｎｃｅｄ−制御チャネルが始まるＯＦＤＭシンボルのインデックス以上のＯＦＤＭシンボルに属すること。
【００６１】
また、Ｅｎｈａｎｃｅｄ−制御チャネルは、ローカル（ｌｏｃａｌｉｚｅｄ）方式又は分散（ｄｉｓｔｒｉｂｕｔｅｄ）方式でＲＥにマップできる。Ｅｎｈａｎｃｅｄ−制御チャネルは、次の条件ａ）乃至ｄ）を満たすＲＥにマップできる。ａ）送信のために割り当てられたＥＲＥＧの一部であること、ｂ）物理ブロードキャストチャネル（Ｐｈｙｓｉｃａｌ  Ｂｒｏａｄｃａｓｔ  Ｃｈａｎｎｅｌ；ＰＢＣＨ）又は同期信号（ｓｙｎｃｈｒｏｎｉｚａｔｉｏｎ  ｓｉｇｎａｌ）の送信に用いられるＰＲＢ対の一部でないこと、ｃ）ＣＲＳ又は特定ＵＥに対するＣＳＩ−ＲＳのために用いられないこと、及びｄ）Ｅｎｈａｎｃｅｄ−制御チャネルが始まるＯＦＤＭシンボルのインデックス以上のＯＦＤＭシンボルに属すること。
【００６２】
Ｅｎｈａｎｃｅｄ−制御チャネルの割当は、次のように行うことができる。基地局からの上位層シグナリングを通じて端末に一つ又は複数個のＥｎｈａｎｃｅｄ−制御チャネル−ＰＲＢ−セットを設定することができる。例えば、Ｅ−ＰＤＣＣＨの場合は、Ｅｎｈａｎｃｅｄ−制御チャネル−ＰＲＢ−セットがＥ−ＰＤＣＣＨのモニタリングのためのものであってよい。
【００６３】
また、Ｅｎｈａｎｃｅｄ−制御チャネルのＲＥマップにはクロスインターリービング（ｃｒｏｓｓ  ｉｎｔｅｒｌｅａｖｉｎｇ）が適用されても、適用されなくてもよい。
【００６４】
クロスインターリービングが適用されない場合、一つのＥｎｈａｎｃｅｄ−制御チャネルはリソースブロックの特定セットにマップされてよく、リソースブロックのセットを構成するリソースブロックの個数は組合せレベル（ａｇｇｒｅｇａｔｉｏｎ  ｌｅｖｅｌ）１、２、４又は８に対応できる。また、他のＥｎｈａｎｃｅｄ−制御チャネルが当該リソースブロックセットで送信されない。
【００６５】
クロスインターリービングが適用される場合は、複数個のＥｎｈａｎｃｅｄ−制御チャネルが共に多重化及びインターリービングされて、Ｅｎｈａｎｃｅｄ−制御チャネル送信のために割り当てられたリソースブロック上にマップされてもよい。すなわち、特定リソースブロックセット上で複数個のＥｎｈａｎｃｅｄ−制御チャネルが共にマップされることと表現することもできる。
【００６６】
（上りリンクサブフレーム構造）
図４は、上りリンクサブフレームの構造を示す図である。上りリンクサブフレームを周波数領域において制御領域とデータ領域とに区別できる。制御領域には、上りリンク制御情報を含む物理上りリンク制御チャネル（Ｐｈｙｓｉｃａｌ  Ｕｐｌｉｎｋ  Ｃｏｎｔｒｏｌ  Ｃｈａｎｎｅｌ；ＰＵＣＣＨ）が割り当てられる。データ領域には、ユーザデータを含む物理上りリンク共有チャネル（Ｐｈｙｓｉｃａｌ  ｕｐｌｉｎｋ  ｓｈａｒｅｄ  ｃｈａｎｎｅｌ；ＰＵＳＣＨ）が割り当てられる。単一搬送波特性を維持するために、一つの端末はＰＵＣＣＨ及びＰＵＳＣＨを同時に送信しない。一つの端末のＰＵＣＣＨはサブフレームでリソースブロック対（ＲＢｐａｉｒ）に割り当てられる。リソースブロック対に属するリソースブロックは２つのスロットにおいて互いに異なった副搬送波を占める。これを、ＰＵＣＣＨに割り当てられるリソースブロック対がスロット境界で周波数−ホッピング（ｆｒｅｑｕｅｎｃｙ−ｈｏｐｐｅｄ）するという。
【００６７】
（参照信号（Ｒｅｆｅｒｅｎｃｅ  Ｓｉｇｎａｌ；ＲＳ））
無線通信システムにおいてパケットを送信する時、送信されるパケットは無線チャネルを介して送信されるため、送信過程で信号の歪みが発生することがある。歪まれた信号を受信側で正しく受信するためには、チャネル情報を用いて受信信号から歪みを補正しなければならない。チャネル情報を知るには、送信側と受信側の両方で知っている信号を送信し、該信号がチャネルを介して受信される時の歪みの度合からチャネル情報を把握る方法を主に用いる。この信号をパイロット信号（Ｐｉｌｏｔ  Ｓｉｇｎａｌ）又は参照信号（Ｒｅｆｅｒｅｎｃｅ  Ｓｉｇｎａｌ）という。
【００６８】
多重アンテナを用いてデータを送受信する場合には、各送信アンテナと受信アンテナ間のチャネル状況を知ってこそ正しい信号が受信できる。そのため、各送信アンテナ別にそれぞれの参照信号が存在しなければならない。
【００６９】
下りリンク参照信号は、セル内の全ての端末が共有する共用参照信号（Ｃｏｍｍｏｎ  Ｒｅｆｅｒｅｎｃｅ  Ｓｉｇｎａｌ；ＣＲＳ）と特定端末のみのための専用参照信号（Ｄｅｄｉｃａｔｅｄ  Ｒｅｆｅｒｅｎｃｅ  Ｓｉｇｎａｌ；ＤＲＳ）がある。このような参照信号によってチャネル推定及び復調のための情報を提供することができる。ＣＲＳは、セル内における全ての端末（ＵＥ）が共通に受信し得る参照信号で、全帯域にわたって分布する。チャネル状態情報（ＣＳＩ）獲得及びデータ復調の目的でＣＲＳを用いることができる。
【００７０】
受信側（端末）は、ＣＲＳからチャネルの状態を推定して、ＣＱＩ（Ｃｈａｎｎｅｌ  Ｑｕａｌｉｔｙ  Ｉｎｄｉｃａｔｏｒ）、ＰＭＩ（Ｐｒｅｃｏｄｉｎｇ  Ｍａｔｒｉｘ  Ｉｎｄｅｘ）及び／又はＲＩ（Ｒａｎｋ  Ｉｎｄｉｃａｔｏｒ）のようなチャネル品質に関する指示子を送信側（基地局）にフィードバックすることができる。ＣＲＳをセル−特定（ｃｅｌｌ−ｓｐｅｃｉｆｉｃ）参照信号と呼ぶこともできる。
【００７１】
一方、ＤＲＳは、ＰＤＳＣＨ上のデータの復調が必要な場合に、該当のＲＥを通じて送信されてもよい。端末には上位層からＤＲＳの存在有無が指示され、該当のＰＤＳＣＨがマップされた場合にのみ、ＤＲＳが有効である旨が指示されればよい。ＤＲＳを端末−特定（ＵＥ−ｓｐｅｃｉｆｉｃ）参照信号又は復調用参照信号（Ｄｅｍｏｄｕｌａｔｉｏｎ  Ｒｅｆｅｒｅｎｃｅ  Ｓｉｇｎａｌ；ＤＭＲＳ）と呼ぶこともできる。ＤＲＳ（又は端末−特定参照信号）はデータ復調のために用いられる参照信号で、多重アンテナ送信をする時、特定端末に用いられるプリコーディング重み付け値を参照信号にもそのまま用いることによって、端末が参照信号を受信した時に、各送信アンテナから送信されるプリコーディング重み付け値及び送信チャネルが結合された均等チャネル（Ｅｑｕｉｖａｌｅｎｔ  ｃｈａｎｎｅｌ）を推定できるようにする。
【００７２】
図５は、既存の３ＧＰＰ  ＬＴＥシステム（例えば、リリース−８）で定義するＣＲＳ及びＤＲＳが下りリンクリソースブロック対（ＲＢ  ｐａｉｒ）上にマップされるパターンを示す図である。参照信号のマップされる単位としての下りリンクリソースブロック対は、時間上で１サブフレーム×周波数上で１２副搬送波の単位で表現できる。すなわち、１リソースブロック対は、時間上において、正規ＣＰの場合には１４個のＯＦＤＭシンボル長、拡張ＣＰの場合には１２個のＯＦＤＭシンボル長を有する。図５は、正規ＣＰの場合にリソースブロック対を示している。
【００７３】
図５は、基地局が４個の送信アンテナを支援するシステムにおいて参照信号のリソースブロック対上での位置を示している。図５で、‘Ｒ０’、‘Ｒ１’、‘Ｒ２’及び‘Ｒ３’で表示されたリソース要素（ＲＥ）は、それぞれ、アンテナポートインデックス０、１、２及び３に対するＣＲＳの位置を表す。一方、図５で、‘Ｄ’で表示されたリソース要素はＤＲＳの位置を表す。
【００７４】
一方、３ＧＰＰ  ＬＴＥの進展であるＬＴＥ−Ａ（Ａｄｖａｎｃｅｄ）システムでは、高い次数（ｏｒｄｅｒ）のＭＩＭＯ、多重−セル送信、進展したＭＵ−ＭＩＭＯなどが考慮されており、よって、効率的な参照信号の運用と進展した送信方式を支援するためにＤＲＳベースのデータ復調を考慮している。すなわち、既存の３ＧＰＰ  ＬＴＥ（例えば、リリース−８）で定義するランク１ビームフォーミングのためのＤＲＳ（アンテナポートインデックス５）とは別に、追加されたアンテナを通じたデータ送信を支援するために２以上のレイヤに対するＤＲＳ（又は、端末−特定参照信号又はＤＭＲＳ）を定義することができる。例えば、最大８送信アンテナポートを支援する端末−特定参照信号ポートは、アンテナポート番号７乃至１２と定義され、他の参照信号と重複しないＲＥ位置で送信されてもよい。
【００７５】
また、ＬＴＥ−Ａシステムでは、新しいアンテナポートのためのＣＱＩ／ＰＭＩ／ＲＩのようなチャネル状態情報（Ｃｈａｎｎｅｌ  Ｓｔａｔｅ  Ｉｎｆｏｒｍａｔｉｏｎ；ＣＳＩ）のフィードバックに関するＲＳを別途にＣＳＩ−ＲＳと定義することもできる。例えば、最大８送信アンテナポートを支援するＣＳＩ−ＲＳポートは、アンテナポート番号１５乃至２２と定義され、他の参照信号と重複しないＲＥ位置で送信されてもよい。
【００７６】
（協調マルチポイント（Ｃｏｏｒｄｉｎａｔｅｄ  Ｍｕｌｔｉ−Ｐｏｉｎｔ：ＣｏＭＰ））
３ＧＰＰ  ＬＴＥ−Ａシステムの改善されたシステム性能要求条件に応じて、ＣｏＭＰ送受信技術（ｃｏ−ＭＩＭＯ、共同（ｃｏｌｌａｂｏｒａｔｉｖｅ）ＭＩＭＯ又はネットワークＭＩＭＯなどと表現されることもある）が提案されている。ＣｏＭＰ技術は、セル−境界（ｃｅｌｌ−ｅｄｇｅ）に位置している端末の性能を増大させ、平均セクター収率（ｔｈｒｏｕｇｈｐｕｔ）を増大させることができる。
【００７７】
一般に、周波数再使用因子（ｆｒｅｑｕｅｎｃｙ  ｒｅｕｓｅ  ｆａｃｔｏｒ）が１である多重−セル環境において、セル−間干渉（Ｉｎｔｅｒ−Ｃｅｌｌ  Ｉｎｔｅｒｆｅｒｅｎｃｅ；ＩＣＩ）によって、セル−境界に位置している端末の性能と平均セクター収率が減少することがある。このようなＩＣＩを低減するために、既存のＬＴＥシステムでは、端末特定電力制御を用いた部分周波数再使用（ｆｒａｃｔｉｏｎａｌ  ｆｒｅｑｕｅｎｃｙ  ｒｅｕｓｅ；ＦＦＲ）のような単純な受動的な技法を用いて、干渉により制限を受けた環境においてセル−境界に位置している端末が適切な収率性能を持つようにする方法を適用してきた。しかし、セル当たりの周波数リソース使用を減らすよりは、ＩＣＩを低減したり、ＩＣＩを端末の所望する信号として再使用する方がより好ましいだろう。このような目的を達成するために、ＣｏＭＰ送信技法を適用することができる。
【００７８】
下りリンクにおいて適用可能なＣｏＭＰ技法は、ジョイント−プロセシング（ｊｏｉｎｔ  ｐｒｏｃｅｓｓｉｎｇ；ＪＰ）技法と調整スケジューリング／ビームフォーミング（ｃｏｏｒｄｉｎａｔｅｄ  ｓｃｈｅｄｕｌｉｎｇ／ｂｅａｍｆｏｒｍｉｎｇ；ＣＳ／ＣＢ）技法とに大別できる。
【００７９】
ＪＰ技法は、ＣｏＭＰ協調単位のそれぞれのポイント（基地局）でデータを利用することができる。ＣｏＭＰ協調単位は、協調送信技法に用いられる基地局の集合を意味する。ＪＰ技法は、ジョイント送信（Ｊｏｉｎｔ  Ｔｒａｎｓｍｉｓｓｉｏｎ）技法と動的セル選択（Ｄｙｎａｍｉｃ  ｃｅｌｌ  ｓｅｌｅｃｔｉｏｎ）技法とに分類できる。
【００８０】
ジョイント送信技法は、ＰＤＳＣＨが１回に複数個のポイント（ＣｏＭＰ協調単位の一部又は全部）から送信される技法のことをいう。すなわち、単一端末に送信されるデータを複数個の送信ポイントから同時に送信することができる。ジョイント送信技法によれば、コヒーレントに（ｃｏｈｅｒｅｎｔｌｙ）又はノン−コヒーレントに（ｎｏｎ−ｃｏｈｅｒｅｎｔｌｙ）受信信号の品質を向上させることができ、また、他の端末に対する干渉を能動的に消去することもできる。
【００８１】
動的セル選択技法は、ＰＤＳＣＨが１回に（ＣｏＭＰ協調単位の）一つのポイントから送信される技法のことをいう。すなわち、特定時点で単一端末に送信されるデータは一つのポイントから送信し、その時点に協調単位内の他のポイントは当該端末に対してデータ送信をしない。また、当該端末にデータを送信するポイントは動的に選択できる。
【００８２】
一方、ＣＳ／ＣＢ技法によれば、ＣｏＭＰ協調単位が単一端末に対するデータ送信のビームフォーミングを協調的に行うことができる。ここで、データはサービングセルからのみ送信するが、ユーザスケジューリング／ビームフォーミングは当該ＣｏＭＰ協調単位のセルの調整によって決定することができる。
【００８３】
一方、上りリンクの場合に、調整（ｃｏｏｒｄｉｎａｔｅｄ）多重−ポイント受信は、地理的に離れた複数個のポイントの調整によって送信された信号を受信することを意味する。上りリンクにおいて適用可能なＣｏＭＰ技法は、ジョイント受信（Ｊｏｉｎｔ  Ｒｅｃｅｐｔｉｏｎ；ＪＲ）と調整スケジューリング／ビームフォーミング（ｃｏｏｒｄｉｎａｔｅｄ  ｓｃｈｅｄｕｌｉｎｇ／ｂｅａｍｆｏｒｍｉｎｇ；ＣＳ／ＣＢ）とに大別できる。
【００８４】
ＪＲ技法は、ＰＵＳＣＨを介して送信された信号が複数個の受信ポイントで受信されることを意味し、ＣＳ／ＣＢ技法は、ＰＵＳＣＨが一つのポイントでのみ受信されるが、ユーザスケジューリング／ビームフォーミングはＣｏＭＰ協調単位のセルの調整によって決定されることを意味する。
【００８５】
このようなＣｏＭＰシステムを用いれば、端末は多重−セル基地局（Ｍｕｌｔｉ−ｃｅｌｌ  ｂａｓｅｓｔａｔｉｏｎ）から共同にデータ支援を受けることができる。また、各基地局は、同一の無線周波数リソース（Ｓａｍｅ  Ｒａｄｉｏ  Ｆｒｅｑｕｅｎｃｙ  Ｒｅｓｏｕｒｃｅ）を用いて一つ以上の端末を同時に支援することによって、システムの性能を向上させることができる。また、基地局は、基地局と端末間のチャネル状態情報に基づいて空間分割多元接続（Ｓｐａｃｅ  Ｄｉｖｉｓｉｏｎ  Ｍｕｌｔｉｐｌｅ  Ａｃｃｅｓｓ：ＳＤＭＡ）方法を行うこともできる。
【００８６】
ＣｏＭＰシステムにおいてサービング基地局及び一つ以上の協調基地局はバックボーンネットワーク（Ｂａｃｋｂｏｎｅ  Ｎｅｔｗｏｒｋ）を通じてスケジューラ（ｓｃｈｅｄｕｌｅｒ）に接続する。スケジューラは、バックボーンネットワークを通じて、各基地局が測定した各端末及び協調基地局間のチャネル状態に関するチャネル情報をフィードバック受けて動作することができる。例えば、スケジューラは、サービング基地局及び一つ以上の協調基地局に対して協調的ＭＩＭＯ動作のための情報をスケジューリングすることができる。すなわち、スケジューラが各基地局に協調的ＭＩＭＯ動作に対する指示を直接することができる。
【００８７】
上述した通り、ＣｏＭＰシステムは、複数個のセルを一つのグループにまとめて、仮想ＭＩＭＯシステムで動作するものといえる。このＣｏＭＰシステムには基本的に、多重アンテナを使用するＭＩＭＯシステムの通信技法を適用することができる。
【００８８】
（確認応答（ＡＣＫ／ＮＡＣＫ）情報の送信リソースの決定）
ＡＣＫ／ＮＡＣＫ情報は、送信側から送信されたデータのデコーディング成否によって、受信側から送信側にフィードバックする制御情報である。例えば、端末が下りリンクデータのデコーディングに成功する場合はＡＣＫ情報を、そうでない場合はＮＡＣＫ情報を基地局にフィードバックすることができる。具体的に、ＬＴＥシステムにおいて受信側でＡＣＫ／ＮＡＣＫ送信が必要な場合を次の３つに大別できる。
【００８９】
その第一は、ＰＤＣＣＨの検出によって指示（ｉｎｄｉｃａｔｅ）されるＰＤＳＣＨ送信に対してＡＣＫ／ＮＡＣＫを送信する場合である。第二は、ＳＰＳ（Ｓｅｍｉ−Ｐｅｒｓｉｓｔｅｎｔ  Ｓｃｈｅｄｕｌｉｎｇ）解除（ｒｅｌｅａｓｅ）を指示するＰＤＣＣＨに対してＡＣＫ／ＮＡＣＫを送信する場合である。第三は、ＰＤＣＣＨ検出無しで、送信されるＰＤＳＣＨに対するＡＣＫ／ＮＡＣＫを送信する場合で、これはＳＰＳ  ＰＤＳＣＨ送信に対するＡＣＫ／ＮＡＣＫを意味する。以下の説明では、別の言及がない限り、ＡＣＫ／ＮＡＣＫ送信方案がこれら３つの場合のいずれかに制限されない。
【００９０】
次に、ＦＤＤ方式とＴＤＤ方式でのＡＣＫ／ＮＡＣＫ情報の送信リソースについて具体的に説明する。
【００９１】
ＦＤＤ方式は、独立した周波数帯域別に下りリンク（ＤＬ）と上りリンク（ＵＬ）を区分して送受信をする方式である。そのため、基地局からＤＬ帯域でＰＤＳＣＨを送る場合、端末は、ＤＬデータ受信の成否を知らせるＡＣＫ／ＮＡＣＫ応答を、特定時間の後にＤＬ帯域に対応するＵＬ帯域上のＰＵＣＣＨを介して送信できる。したがって、ＤＬとＵＬは一対一で対応して動作するようになる。
【００９２】
具体的に、既存の３ＧＰＰ  ＬＴＥシステムの例では、基地局の下りリンクデータ送信に対する制御情報はＰＤＣＣＨを介して端末に伝達され、ＰＤＣＣＨを介して自身にスケジューリングされたデータをＰＤＳＣＨを介して受信した端末は、上りリンク制御情報を送信するチャネルであるＰＵＣＣＨを介して（又は、ＰＵＳＣＨ上へのピギーバック（ｐｉｇｇｙｂａｃｋ）方式で）ＡＣＫ／ＮＡＣＫを送信することができる。一般に、ＡＣＫ／ＮＡＣＫ送信のためのＰＵＣＣＨは、それぞれの端末にあらかじめ割り当てられているものではなく、セル内の複数の端末が複数のＰＵＣＣＨを毎時点ごとに分けて使用する方式で構成される。したがって、任意の時点に下りリンクデータを受信した端末がＡＣＫ／ＮＡＣＫを送信するＰＵＣＣＨリソースとして、この端末が当該下りリンクデータに対するスケジューリング情報を受信したＰＤＣＣＨに対応するＰＵＣＣＨリソースを用いることができる。
【００９３】
ＰＤＣＣＨに対応するＰＵＣＣＨリソースについてより具体的に説明する。それぞれの下りリンクサブフレームのＰＤＣＣＨが送信される領域は、複数の制御チャネル要素（ＣＣＥ）で構成され、任意のサブフレームで一つの端末に送信されるＰＤＣＣＨは、そのサブフレームのＰＤＣＣＨ領域をなすＣＣＥのうち一つ或いは複数のＣＣＥで構成される。また、それぞれの上りリンクサブフレームにおけるＰＵＣＣＨが送信される領域には、複数のＰＵＣＣＨを送信できるリソースが存在する。この場合、端末は、自身が受信したＰＤＣＣＨを構成するＣＣＥのうち特定（例えば、最初の又は最低の）ＣＣＥのインデックスに対応するインデックスに該当するＰＵＣＣＨを介してＡＣＫ／ＮＡＣＫを送信することができる。
【００９４】
例えば、ある端末が４、５、６番のＣＣＥで構成されたＰＤＣＣＨを介してＰＤＳＣＨ関連情報を取得してＰＤＳＣＨを受信する場合を仮定することができる。この場合、ＰＤＳＣＨをスケジューリングするＰＤＣＣＨを構成する最初（又は最低）のＣＣＥである４番のＣＣＥに対応するＰＵＣＣＨ、すなわち、４番のＰＵＣＣＨリソースを通じてＰＤＳＣＨに対するＡＣＫ／ＮＡＣＫ情報を送信することができる。
【００９５】
ＦＤＤシステムにおいて端末は、サブフレームインデックスｎ−ｋ（例えば、ＬＴＥシステムでｋ＝４）で受信したＰＤＳＣＨ送信に対して、サブフレームインデックスｎでＨＡＲＱ  ＡＣＫ／ＮＡＣＫ情報を送信することができる。サブフレームｎ−ｋでのＰＤＳＣＨ送信を指示（ｉｎｄｉｃａｔｅ）するＰＤＣＣＨから、端末は、サブフレームｎでＨＡＲＱ  ＡＣＫ／ＮＡＣＫを送信するＰＵＣＣＨリソースインデックスを決定することができる。
【００９６】
例えば、ＬＴＥシステムにおいてＰＵＣＣＨリソースインデックスは次のように決定される。
【００９７】
（数１）
ｎ（１）ＰＵＣＣＨ＝ｎＣＣＥ＋Ｎ（１）ＰＵＣＣＨ
上の式１で、ｎ（１）ＰＵＣＣＨは、ＡＣＫ／ＮＡＣＫを送信するためのＰＵＣＣＨフォーマット１系列（例えば、ＰＵＣＣＨフォーマット１ａ／１ｂ）のリソースインデックスを表し、Ｎ（１）ＰＵＣＣＨは、上位層から伝達されるシグナリング値を表し、ｎＣＣＥは、ＰＤＣＣＨ送信に用いられたＣＣＥインデックスの中で最小の値を表す。ｎ（１）ＰＵＣＣＨから、ＰＵＣＣＨフォーマット１ａ／１ｂのためのサイクリックシフト、直交拡散コード及びＰＲＢ（Ｐｈｙｓｉｃａｌ  Ｒｅｓｏｕｒｃｅ  Ｂｌｏｃｋ）が得られる。
【００９８】
次に、ＴＤＤ方式でのＡＣＫ／ＮＡＣＫ送信について説明する。
【００９９】
ＴＤＤモードにおいて下りリンク送信及び上りリンク送信は時間によって区分されるため、一つの無線フレームにおけるサブフレームは下りリンクサブフレームと上りリンクサブフレームに区別される。表３は、ＴＤＤモードにおいて、ＵＬ−ＤＬ構成を例示したものである。
【０１００】
【表３】
0005908607.tif 000007
表３で、Ｄは下りリンクサブフレームを、Ｕは上りリンクサブフレームを、Ｓは特異（ｓｐｅｃｉａｌ）サブフレームを表す。特異サブフレームは、ＤｗＰＴＳ（Ｄｏｗｎｌｉｎｋ  Ｐｉｌｏｔ  ＴｉｍｅＳｌｏｔ）、ＧＰ（Ｇｕａｒｄ  Ｐｅｒｉｏｄ）、ＵｐＰＴＳ（Ｕｐｌｉｎｋ  Ｐｉｌｏｔ  ＴｉｍｅＳｌｏｔ）の３つのフィールドを含む。ＤｗＰＴＳは下りリンク送信のために留保される時間区間であり、ＵｐＰＴＳは上りリンク送信のために留保される時間区間である。
【０１０１】
ＴＤＤシステムにおいて端末は、一つ以上の下りリンクサブフレームでのＰＤＳＣＨ送信に対するＡＣＫ／ＮＡＣＫ情報を一つの上りリンクサブフレームで送信することができる。端末が下りリンクサブフレームｎ−ｋで受信したＰＤＳＣＨ送信に対して上りリンクサブフレームｎでＨＡＲＱ  ＡＣＫ／ＮＡＣＫ情報を送信することができ、ｋ値は、上記のＵＬ−ＤＬ構成に従って与えられてよい。例えば、上記の表３におけるＵＬ−ＤＬ構成に対して、下の表４のように下りリンク関連セットインデックスＫ：｛ｋ０，ｋ１，…，ｋＭ−１｝を与えることができる。
【０１０２】
【表４】
0005908607.tif 000008
例えば、上の表４で、ＵＬ−ＤＬ構成０の場合に、上りリンクサブフレーム９でｋ＝４と与えられるので、下りリンクサブフレーム５（＝９−４）で受信したデータに対するＡＣＫ／ＮＡＣＫ情報を上りリンクサブフレーム９で送信することができる。以下では、ＴＤＤシステムでのＡＣＫ／ＮＡＣＫ送信においてＰＵＣＣＨリソースインデックスを決定する方案について具体的に説明する。
【０１０３】
上の表４で、セットＫの要素（｛ｋ０，ｋ１，…，ｋＭ−１｝）の個数をＭとする。例えば、ＵＬ−ＤＬ構成０の場合に、サブフレーム２に対するセットＫの要素の個数は１であり、ＵＬ−ＤＬ構成２の場合に、サブフレーム２に対するセットＫの要素の個数は４である。
【０１０４】
Ｍ＝１のサブフレームｎでのＴＤＤ  ＡＣＫ／ＮＡＣＫバンドリング（ｂｕｎｄｌｉｎｇ）又はＴＤＤ  ＡＣＫ／ＮＡＣＫ多重化（ｍｕｌｔｉｐｌｅｘｉｎｇ）のために、端末は、サブフレームｎでのＨＡＲＱ  ＡＣＫ／ＮＡＣＫ送信のためのＰＵＣＣＨリソースｎ（１）ＰＵＣＣＨを次のように決定することができる。
【０１０５】
ＰＤＣＣＨによって指示されるＰＤＳＣＨ送信又はＳＰＳ解除を指示するＰＤＣＣＨがサブフレームｎ−ｋ（ｋ∈Ｋ）で存在する場合に、端末は、まず、Ｎｐ≦ｎＣＣＥ＜Ｎｐ＋１を満たすように、ｐ値を｛０、１、２、３｝の中から選択する。ＰＵＣＣＨリソースインデックスｎ（１）ＰＵＣＣＨは、次の式２によって決定することができる。
【０１０６】
【数２】
0005908607.tif 000009
上の式２で、ｎ（１）ＰＵＣＣＨは、ＡＣＫ／ＮＡＣＫを送信するためのＰＵＣＣＨフォーマット１のリソースインデックスを表し、Ｎ（１）ＰＵＣＣＨは、上位層から伝達されるシグナリング値を表し、ｎＣＣＥは、サブフレームｎ−ｋｍ（ここで、ｋｍはセットＫの中で最小の値である）でのＰＤＣＣＨ送信に用いられたＣＣＥインデックスの中で最小の値を表す。Ｎｐは、下記の式３によって決定することができる。
【０１０７】
【数３】
0005908607.tif 000010
上の式３で、
【０１０８】
【化４】
0005908607.tif 000011
は下りリンク帯域幅設定を表し、
【０１０９】
【化５】
0005908607.tif 000012
の単位で表現される。
【０１１０】
【化６】
0005908607.tif 000013
は、周波数領域においてリソースブロックのサイズで、副搬送波の個数によって表現される。
【０１１１】
ＰＤＣＣＨ無しでＰＤＳＣＨ送信がサブフレームｎ−ｋ（ｋ∈Ｋ）で存在する場合に、ｎ（１）ＰＵＣＣＨの値は上位層設定によって決定されてもよい。
【０１１２】
一方、Ｍ＞１のサブフレームｎでのＴＤＤ  ＡＣＫ／ＮＡＣＫ多重化（ｍｕｌｔｉｐｌｅｘｉｎｇ）のために、端末は、ＨＡＲＱ  ＡＣＫ／ＮＡＣＫ送信のためのＰＵＣＣＨリソースを次のように決定することができる。以下の説明で、ｎ（１）ＰＵＣＣＨ，ｉ（０≦ｉ≦Ｍ−１）は、サブフレームｎ−ｋｉから誘導されるＡＣＫ／ＮＡＣＫリソースとし、ＨＡＲＱ−ＡＣＫ（ｉ）は、サブフレームｎ−ｋｉに対するＡＣＫ／ＮＡＣＫ応答とする。
【０１１３】
ＰＤＣＣＨによって指示されるＰＤＳＣＨ送信又はＳＰＳ解除を指示するＰＤＣＣＨがサブフレームｎ−ｋｉ（ｋｉ∈Ｋ）で存在する場合に、ＡＣＫ／ＮＡＣＫリソースｎ（１）ＰＵＣＣＨ，ｉを下の式４によって決定することができる。
【０１１４】
【数４】
0005908607.tif 000014
上の式４で、Ｎ（１）ＰＵＣＣＨは、上位層から伝達されるシグナリング値を表す。ｎＣＣＥ，ｉは、サブフレームｎ−ｋｉでのＰＤＣＣＨ送信に用いられたＣＣＥインデックスの中で最小の値を表す。ｐ値は、Ｎｐ≦ｎＣＣＥ，ｉ＜Ｎｐ＋１を満たすように｛０，１，２，３｝の中から選択する。Ｎｐは上記の式３のように決定することができる。
【０１１５】
ＰＤＣＣＨ無しでＰＤＳＣＨ送信がサブフレームｎ−ｋｉ（ｋｉ∈Ｋ）で存在する場合に、ｎ（１）ＰＵＣＣＨ，ｉの値は上位層設定によって決定されてもよい。
【０１１６】
端末は、サブフレームｎにおいて、ＡＣＫ／ＮＡＣＫリソースｎ（１）ＰＵＣＣＨ上でビットｂ（０），ｂ（１）を、ＰＵＣＣＨフォーマット１ｂを用いて送信する。ｂ（０），ｂ（１）の値及びＡＣＫ／ＮＡＣＫリソースｎ（１）ＰＵＣＣＨを、下の表５、表６及び表７によるチャネル選択（ｃｈａｎｎｅｌ  ｓｅｌｅｃｔｉｏｎ）によって生成することができる。表５、表６及び表７は、それぞれ、Ｍ＝２、Ｍ＝３、Ｍ＝４の場合におけるＡＣＫ／ＮＡＣＫ多重化の送信に関するものである。ｂ（０），ｂ（１）がＮ／Ａにマップされる場合に、端末はサブフレームｎでＡＣＫ／ＮＡＣＫ応答を送信しない。
【０１１７】
【表５】
0005908607.tif 000015
【０１１８】
【表６】
0005908607.tif 000016
【０１１９】
【表７】
0005908607.tif 000017
上記の表５、表６及び表７で、ＨＡＲＱ−ＡＣＫ（ｉ）は、ｉ−番目のデータユニット（０≦ｉ≦３）のＨＡＲＱ  ＡＣＫ／ＮＡＣＫ／ＤＴＸ結果を表す。ＤＴＸ（Ｄｉｓｃｏｎｔｉｎｕｏｕｓ  Ｔｒａｎｓｍｉｓｓｉｏｎ）は、ＨＡＲＱ−ＡＣＫ（ｉ）に対応するデータユニットの送信がないか、又は、端末がＨＡＲＱ−ＡＣＫ（ｉ）に対応するデータユニットの存在を検出できなかった場合を表す。本明細書でＨＡＲＱ−ＡＣＫはＡＣＫ／ＮＡＣＫと同じ意味で使われることもある。それぞれのデータユニットと関連して最大４個のＰＵＣＣＨリソース（すなわち、ｎ（１）ＰＵＣＣＨ，０〜ｎ（１）ＰＵＣＣＨ，３）が占有されてよい。多重化されたＡＣＫ／ＮＡＣＫは、占有されたＰＵＣＣＨリソースから選択された一つのＰＵＣＣＨリソースを通じて送信される。表５、表６及び表７に記載されたｎ（１）ＰＵＣＣＨ，ｘは、実際にＡＣＫ／ＮＡＣＫを送信するために用いられるＰＵＣＣＨリソースを表す。ｂ（０），ｂ（１）は、選択されたＰＵＣＣＨリソースを通じて送信される２ビットを表し、ＱＰＳＫ方式で変調される。一例として、表７のように端末が４個のデータユニットを成功的に復号した場合、端末は、ｎ（１）ＰＵＣＣＨ，１と連結されたＰＵＣＣＨリソースを通じて（１，１）を基地局に送信する。ＰＵＣＣＨリソースとＱＰＳＫシンボルとの組合せが、可能なＡＣＫ／ＮＡＣＫ仮定を全て表すには足りないため、一部の場合を除いてはＮＡＣＫとＤＴＸはカップリングされる（ＮＡＣＫ／ＤＴＸと表示される）。
【０１２０】
（改善された制御チャネルベースの動作）
本発明では、改善された制御チャネル（例えば、Ｅ−ＰＤＣＣＨ）と関連した複数個のアンテナポート及び／又はスクランブリングシーケンスパラメータを活用する方案について提案する。
【０１２１】
本発明に対する理解を助けるために、Ｅ−ＰＤＣＣＨと関連した複数個のアンテナポート及び／又はスクランブリングシーケンスパラメータなどを活用して、Ｅ−ＰＤＣＣＨを介してスケジューリングされる下りリンクデータに対するＡＣＫ／ＮＡＣＫを送信するための一つ以上のＰＵＣＣＨリソースを決定する方案についてまず説明する。
【０１２２】
（Ｅ−ＰＤＣＣＨと関連したＰＵＣＣＨリソース決定方案）
ＵＥは、ＤＬ割当（ａｓｓｉｇｎｍｅｎｔ）に関する情報（又は、下りリンクスケジューリング情報）を含んでいる制御チャネルを検出し、それに対応するＰＤＳＣＨを受信することができる。ＵＥは、ＰＤＳＣＨ受信の成否を一定時間の後にフィードバックすることができる。既存の３ＧＰＰ  ＬＴＥシステムでは、ＤＬ割当を送信したＰＤＣＣＨから、ＡＣＫ／ＮＡＣＫ送信に用いられるリソースを決定することができる。前述したように、ＵＥは、ＤＬ割当の送信のために用いられたＰＤＣＣＨのＣＣＥの中で最初のインデックス（例えば、ｉｎｄｅｘ  ｎ）を把握し、ＡＣＫ／ＮＡＣＫのために用いられるＰＵＣＣＨリソース領域の開始を知らせるオフセットである
【０１２３】
【化７】
0005908607.tif 000018
に前記ＣＣＥインデックスｎを足した
【０１２４】
【化８】
0005908607.tif 000019
に対応するＰＵＣＣＨリソースを用いてＡＣＫ／ＮＡＣＫを送信することができる。ここで、
【化９】
0005908607.tif 000020
は、上記の式１におけるＮ（１）ＰＵＣＣＨのように、上位層によってシグナリングされる値であってよい。
【０１２５】
このように、ＰＤＣＣＨのＣＣＥインデックスに基づいてＰＵＣＣＨリソースを決定する方式は、一つのＣＣＥが一つのＵＥにのみ用いられるレガシー−ＰＤＣＣＨでは問題無く動作できるが、改善されたＰＤＣＣＨ（すなわち、Ｅ−ＰＤＣＣＨ）には適用し難いこともある。レガシー−ＰＤＣＣＨとは違い、Ｅ−ＰＤＣＣＨは、ＵＥ−特定ＲＳ（又は、ＤＭＲＳ）に基づいて復調され、且つＭＵ−ＭＩＭＯが適用されてもよいため、既存の方式によってＰＵＣＣＨリソースが決定されると、ＡＣＫ／ＮＡＣＫリソース衝突につながることがある。例えば、ＭＵ−ＭＩＭＯがＥ−ＰＤＣＣＨに適用されると、２つ或いはそれ以上のＵＥが同一の時間／周波数リソース（すなわち、ＣＣＥ又はＥＣＣＥ、以下では（Ｅ）ＣＣＥと表現する）を共有しながら、プリコーディング（又は、ＵＥ−特定ＲＳ（又は、ＤＭＲＳ））によって区別されるＤＬ割当を受信することがある。この場合、既存のＰＵＣＣＨリソース決定方式にそのまま従うと、同一の（Ｅ）ＣＣＥを用いて複数のＵＥ（すなわち、一群のＥ−ＰＤＣＣＨ  ＭＵ−ＭＩＭＯグループに属するＵＥ）が同一のＰＵＣＣＨリソースを用いて同時にＡＣＫ／ＮＡＣＫ信号を送信（すなわち、ＡＣＫ／ＮＡＣＫリソース衝突）することがある。
【０１２６】
この問題を解決するために、本発明では、Ｅ−ＰＤＣＣＨを用いてＤＬ割当を受信する場合には、一つのＤＬ割当に対して複数個のＰＵＣＣＨリソースをＡＣＫ／ＮＡＣＫリソースとして予約（ｒｅｓｅｒｖｅ）しておき、個別ＵＥは、該予約された複数のＰＵＣＣＨリソースの一部を選択してＡＣＫ／ＮＡＣＫフィードバックを行うことを提案する。
【０１２７】
例えば、組合せレベル（ａｇｇｒｅｇａｔｉｏｎ  ｌｅｖｅｌ）Ｌを用いて（すなわち、（Ｅ）ＣＣＥ  ｎ０，ｎ１，…，ｎ（Ｌ−１）を用いて）ＤＬ割当が受信された場合に、ＵＥは、これらＬ個の（Ｅ）ＣＣＥに連係（ｌｉｎｋ）したＬ個のＰＵＣＣＨリソースのいずれか一つを選択してＡＣＫ／ＮＡＣＫをフィードバックすることができる。
【０１２８】
この時、各ＵＥが用いるＰＵＣＣＨリソースは、ｋ（ｋ＝０，１，２，３，…）というパラメータに基づいて決定されてよい。このパラメータｋの値は、ＤＬ割当内の特定フィールドを用いて指示されてもよく、又はＵＥがＤＬ割当を検出（又は復調）するために使用したＲＳ（ＵＥ−特定ＲＳ又はＤＭＲＳ）の特徴から選択されてもよい。
【０１２９】
例えば、ＤＬ割当内の特定フィールドがｋという値を指示すると、ｋに該当するインデックスを持つ（Ｅ）ＣＣＥに連係したＰＵＣＣＨリソースが選択されてもよい。
【０１３０】
次に、Ｅ−ＰＤＣＣＨに関連したＲＳの特徴からＰＵＣＣＨリソースが選択される例示について具体的に説明する。
【０１３１】
例えば、ＤＬ割当を運ぶＰＤＣＣＨの復調のために用いられるＵＥ−特定ＲＳ（又は、ＤＭＲＳ）のアンテナポート番号がｐ（例えば、ｐ∈｛７，８，９，１０｝又はｐ∈｛１０７，１０８，１０９，１１０｝）である場合に、（Ｅ）ＣＣＥ  ｎｋに連係したＰＵＣＣＨリソースを選択することができる。ここで、ｋとｐの関係は、ｋ＝（ｐ−７）  ｍｏｄ  Ｌ（ｐ∈｛７，８，９，１０｝）のように与えられてもよく、ｋ＝（ｐ−１０７）  ｍｏｄ  Ｌ（ｐ∈｛１０７，１０８，１０９，１１０｝））のように与えられてもよい。ここで、ｋは（Ｅ）ＣＣＥインデックス番号を、ｐはアンテナポート番号を、Ｌは組合せレベルを表す。また、ｍｏｄはモジューロ（ｍｏｄｕｌｏ）演算を意味し、Ｘ  ｍｏｄ  Ｙは、ＸをＹで割った余りの値を意味する。例えば、Ｌ＝２の場合に、アンテナポート番号７又は９（又は、アンテナポート番号１０７又は１０９）を使用する場合には（Ｅ）ＣＣＥ  ｎ０に、アンテナポート番号８又は１０（又はアンテナポート番号１０８及び１１０）を使用する場合には（Ｅ）ＣＣＥ  ｎ１に連係したＰＵＣＣＨリソースを選択することができる。
【０１３２】
また、ＤＬ割当を運ぶＰＤＣＣＨの復調において用いられるＵＥ−特定ＲＳ（又はＤＭＲＳ）のスクランブルシーケンス初期値（ｓｃｒａｍｂｌｅ  ｓｅｑｕｅｎｃｅ  ｉｎｉｔｉａｌｉｚａｔｉｏｎ  ｖａｌｕｅ）を用いて（Ｅ）ＣＣＥインデックスを選択し、選択された（Ｅ）ＣＣＥインデックスに連係したＡＣＫ／ＮＡＣＫリソースを決定することできる。スクランブルシーケンス初期値をスクランブリング識別子（ＳＣＩＤ）と呼ぶこともできる。
【０１３３】
例えば、アンテナポート番号とＳＣＩＤとの組合せによって、ＡＣＫ／ＮＡＣＫフィードバックに用いるリソースを決定することができる。具体例として、ｋ＝（（ｐ−７）＋（ＳＣＩＤ））  ｍｏｄ  Ｌ又はｋ＝（（ｐ−１０７）＋（ＳＣＩＤ））  ｍｏｄ  Ｌのような形態で与えられてもよい。
【０１３４】
前述したようにＥ−ＰＤＣＣＨに関連した複数個のアンテナポート及び／又はスクランブリングシーケンスパラメータを活用してＡＣＫ／ＮＡＣＫリソースを決定する方案において、一群のＥ−ＰＤＣＣＨ  ＭＵ−ＭＩＭＯグループに属するＵＥのそれぞれに、衝突しないＰＵＣＣＨリソースが決定されるようにするためには、ｅＮＢは、Ｅ−ＰＤＣＣＨ組合せレベル、（Ｅ）ＣＣＥインデックス番号、ＲＳ（ＵＥ−特定ＲＳ又はＤＭＲＳ）のアンテナポート及び／又はスクランブリングシーケンスを適切に設定して、それぞれのＵＥに対するＥ−ＰＤＣＣＨを送信しなければならない。
【０１３５】
ここで、上記提案する動作は、一つのＤＬ割当が複数の（Ｅ）ＣＣＥを持つ場合に円滑に動作できるため、組合せレベルが２以上である場合にのみ適用されることと制限することができる。これは、ｅＮＢがＭＵ−ＭＩＭＯを用いてＤＬ割当を送信するためには組合せレベル２以上を用いなければならないということを意味することもできる。
【０１３６】
他の例として、組合せレベルＬを用いて（すなわち、（Ｅ）ＣＣＥ  ｎ０，ｎ１，…，ｎ（Ｌ−１）を用いて）ＤＬ割当が受信された場合に、ＵＥは、これらＬ個の（Ｅ）ＣＣＥの中で特定（Ｅ）ＣＣＥインデックスｎ＊（例えば、最低のインデックスの（Ｅ）ＣＣＥｎ０、又はＵＥ  ＩＤなどから誘導される（Ｅ）ＣＣＥインデックス）を決定し、該特定（Ｅ）ＣＣＥインデックス（これは、Ｅ−ＰＤＣＣＨの代表ＡＰに一対一で対応するインデックスの意味を持つ）に所定のオフセット（例えば、ｋ）を適用した（Ｅ）ＣＣＥインデックスｎ＊＋ｋに連係したＰＵＣＣＨリソース
【０１３７】
【化１０】
0005908607.tif 000021
を選択してＡＣＫ／ＮＡＣＫをフィードバックすることができる。
【０１３８】
ここで、オフセットに該当するパラメータｋの値は、前述した例のように、ＤＬ割当のＤＣＩフォーマットの特定フィールドを用いて指示されてもよく、又はＤＬ割当の復調に用いられるＲＳのアンテナポート及び／又はスクランブリングシーケンス初期値（例えば、ＳＣＩＤ）によって決定されてもよい。ＤＬ割当のＤＣＩフォーマットは、例えば、ＤＣＩフォーマット１Ａ、１Ｂ、１Ｄ、１、２Ａ、２、２Ｂ、２Ｃ、２Ｄなどを意味できる。
【０１３９】
例えば、組み合わされた（Ｅ）ＣＣＥ以外の（Ｅ）ＣＣＥに連係したＰＵＣＣＨリソースをＵＥが使用し得る場合には、オフセットｋは、ｋ＝（ｐ−７）又はｋ＝（（ｐ−７）＋（ＳＣＩＤ））のような形態で決定されてもよい（これは、ＵＥがアンテナポートｐを使用し、ｐ∈｛７，８，９，１０｝である場合を仮定する）。このような方式は、特に、組合せレベルが１の場合（すなわち、一つの（Ｅ）ＣＣＥのみを用いて）にＭＵ−ＭＩＭＯとなるＥ−ＰＤＣＣＨの送信に有用であろう。
【０１４０】
ｋの値は、下記のように決定されてもよい。例えば、ＵＥが（Ｅ）ＣＣＥインデックス上で当該ＤＬ割当に用いられた最初（又は最低）の（Ｅ）ＣＣＥインデックスに該当するｎ０以前に位置している（Ｅ）ＣＣＥに連係したＰＵＣＣＨリソースを使用してもよいと仮定する。この場合、ＵＥはＰＵＣＣＨリソース
【０１４１】
【化１１】
0005908607.tif 000022
を使用し、ｋ＝（７−ｐ）と与えられてよい。例えば、アンテナポート７の場合にはＰＵＣＣＨリソース
【０１４２】
【化１２】
0005908607.tif 000023
が用いられ、アンテナポート８の場合にはＰＵＣＣＨリソース
【０１４３】
【化１３】
0005908607.tif 000024
が用いられてもよい。
【０１４４】
他の例として、ＡＣＫ／ＮＡＣＫ  ＰＵＣＣＨリソース領域をＫ個に分割し、領域ｋ（＝０，１，…，Ｋ−１）の始点を
【０１４５】
【化１４】
0005908607.tif 000025
のような形態でＵＥに知らせた後、ＵＥは、ＤＬ割当送信に関連した特定（Ｅ）ＣＣＥインデックスｎ＊（例えば、最低インデックスの（Ｅ）ＣＣＥｎ０、又はＵＥ  ＩＤなどから誘導される（Ｅ）ＣＣＥインデックス）を決定し、適切なＰＵＣＣＨリソース領域ｋを選択して、ＰＵＣＣＨリソース
【０１４６】
【化１５】
0005908607.tif 000026
を使用するように動作することができる。
【０１４７】
ここで、ＰＵＣＣＨ領域のインデックスに該当するパラメータｋの値は、前述したように、ＤＬ割当のＤＣＩフォーマットの特定フィールドを用いて指示されてもよく、又はＤＬ割当の復調に用いられるＲＳのアンテナポート及び／又はスクランブリングシーケンス初期値（例えば、ＳＣＩＤ）によって決定されてもよい。
【０１４８】
他の例として、一つの（Ｅ）ＣＣＥに複数のＰＵＣＣＨリソースを連係させてもよい。一つの（Ｅ）ＣＣＥがＫ個のＰＵＣＣＨリソースに連係する場合、ＵＥは、ＤＬ割当送信に関連した特定（Ｅ）ＣＣＥインデックスｎ＊（例えば、最低インデックスの（Ｅ）ＣＣＥ  ｎ０、又はＵＥ  ＩＤなどから誘導される（Ｅ）ＣＣＥインデックス）を決定し、適切なｋを定めて、ＰＵＣＣＨリソース
【０１４９】
【化１６】
0005908607.tif 000027
を使用するように動作することができる。
【０１５０】
ここで、ＰＵＣＣＨリソースインデックスの決定に関与するパラメータｋは、前述したように、ＤＬ割当のＤＣＩフォーマットの特定フィールドを用いて指示されてもよく、又はＤＬ割当の復調に用いられるＲＳのアンテナポート及び／又はスクランブリングシーケンス初期値（例えば、ＳＣＩＤ）によって決定されてもよい。
【０１５１】
また、上記の各例において、ＰＵＣＣＨリソース領域（ｒｅｓｏｕｒｃｅ  ｒｅｇｉｏｎ）は、レガシー−ＰＤＣＣＨでＤＬ割当を受信した時に使用するものと、Ｅ−ＰＤＣＣＨでＤＬ割当を受信した時に使用するものとに区別（又は分割）されてもよい。特に、このような区分（又は分割）は、レガシー−ＰＤＣＣＨとＥ−ＰＤＣＣＨによってスケジューリングされたＰＤＳＣＨのＡＣＫ／ＮＡＣＫリソース衝突を防止するのに有効である。このような場合に、ｅＮＢは各ＰＵＣＣＨリソース領域の始点を知らせるオフセット値
【０１５２】
【化１７】
0005908607.tif 000028
をレガシー−ＰＤＣＣＨとＥ−ＰＤＣＣＨ用に区別して知らせなければならない。
【０１５３】
また、本発明で説明する方案は、特定Ｅ−ＰＤＣＣＨ探索空間（例えば、ＵＥ−特定探索空間）に限って適用されてもよい。これは、共通探索空間では、多数のＵＥが同時に受信するＤＣＩが送信されるのが一般的であり、ＭＵ−ＭＩＭＯを使用する必要性が低いからである。
【０１５４】
また、本発明で説明する方案は、ＭＵ−ＭＩＭＯが適用されるのに適した特定送信モードのＥ−ＰＤＣＣＨ送信に限って適用されてもよい。例えば、既存のＰＤＣＣＨと同様に、周波数ドメイン又は空間ドメインにおいてダイバーシティを得るために、Ｅ−ＰＤＣＣＨを複数のＲＥＧに分割し、これらをインターリービングするインターリービングされたＥ−ＰＤＣＣＨ送信モード（例えば、分散（ｄｉｓｔｒｉｂｕｔｅｄ）方式Ｅ−ＰＤＣＣＨ送信）が定義されてもよく、又は一つのＥ−ＰＤＣＣＨ（Ｅ）ＣＣＥが一つの周波数ドメイン単位（例えば、ＰＲＢ対）又は一つの空間ドメイン単位でのみ送信される非−インターリービングされたＥ−ＰＤＣＣＨ送信モード（例えば、ローカル（ｌｏｃａｌｉｚｅｄ）方式Ｅ−ＰＤＣＣＨ送信）が適用されてもよい。これと関連して、前述したようなＥ−ＰＤＣＣＨ関連アンテナポート及び／又はスクランブリングシーケンスパラメータを用いてＰＵＣＣＨリソースを決定する方案は、ＭＵ−ＭＩＭＯ適用が難しいインターリービングされたＥ−ＰＤＣＣＨ送信モードでは適用されず、ＭＵ−ＭＩＭＯ適用に適した非−インターリービング送信モードでのみ適用されるようにしてもよい。
【０１５５】
また、本発明で説明する方案は、特定組合せレベルに限って適用されてもよい。例えば、組合せレベル４又は８のように多数の（Ｅ）ＣＣＥが用いられるＥ−ＰＤＣＣＨは、チャネル状態が良好でない場合に活用されるのが一般的であるため、ＭＵ−ＭＩＭＯを適用するのには適さない場合もある。したがって、前述したようなＥ−ＰＤＣＣＨ関連アンテナポート及び／又はスクランブリングシーケンスパラメータを用いてＰＵＣＣＨリソースを決定する方案は、組合せレベル１又は２のように低い組合せサイズに限って適用されるようにしてもよい。
【０１５６】
このようにＡＣＫ／ＮＡＣＫ  ＰＵＣＣＨリソース決定方式を条件によって適切に選択するために、ｅＮＢは、ＲＲＣのような上位層信号を用いて探索空間別に又はサブフレーム別に、ＵＥがＡＣＫ／ＮＡＣＫフィードバックリソースをどのように決定するかを知らせることができる。また、複数のＰＵＣＣＨリソース領域を使用したり、複数のＰＵＣＣＨリソースを一つの（Ｅ）ＣＣＥに連係させる場合、ＰＵＣＣＨリソース領域の個数に関する情報又は一つの（Ｅ）ＣＣＥに連係したＰＵＣＣＨリソースの個数に関する情報を、ＲＲＣのような上位層信号を用いてＵＥに知らせることもできる。
【０１５７】
さらに、前述したＡＣＫ／ＮＡＣＫリソース衝突を防止するための他の方案として、（Ｅ）ＣＣＥに連係したＰＵＣＣＨリソース以外の別のＰＵＣＣＨリソースを、ＲＲＣのような上位層信号を用いて予約（ｒｅｓｅｒｖｅ）しておき、それらの中から適切なものを選択することもできる。例えば、ＤＬ割当をデコードしたＵＥは、まず、（Ｅ）ＣＣＥに連係したＰＵＣＣＨリソースの一つを把握し、また、事前にＲＲＣを通じて伝達されたいくつかのＰＵＣＣＨリソースも把握した後に、適切な指示に従って最終的にＡＣＫ／ＮＡＣＫ送信に使用するＰＵＣＣＨリソースを決定することができる。ここで、ＵＥが把握したＰＵＣＣＨリソースのいずれかをを実際送信に使用するかを決定する指示は、ＤＬ割当内の特定フィールドを用いてもよく、ＤＬ割当を検出（又は復調）するために使用したＲＳのアンテナポート及び／又はスクランブリングシーケンス初期値（例えば、ＳＣＩＤ）から決定されてもよい。
【０１５８】
例えば、ＵＥは、ＤＬ割当の送信に用いられる（Ｅ）ＣＣＥに連係した一つのＰＵＣＣＨリソース（例えば、ＰＵＣＣＨリソースｎ１）を把握し、また事前にＲＲＣを通じて設定された３個のＰＵＣＣＨリソース（例えば、ＰＵＣＣＨリソースｎ２、ｎ３、ｎ４）を把握したと仮定する。
【０１５９】
この場合、ＤＬ割当内の特定フィールドの値が００、０１、１０、１１のいずれか一つと与えられると、それぞれ、ＰＵＣＣＨリソースｎ１、ｎ２、ｎ３、ｎ４のいずれか一つが決定されてよい。
【０１６０】
又は、Ｅ−ＰＤＣＣＨ関連ＲＳがアンテナポート番号７、８、９、１０（又は１０７、１０８、１０９、１１０）のいずれか一つである場合、それぞれ、ＰＵＣＣＨリソースｎ１、ｎ２、ｎ３、ｎ４  のいずれか一つが決定されてもよい。
【０１６１】
また、上記の各例示では、本発明の原理に関する理解を助けるために、ＵＥが１つのＰＵＣＣＨリソースを用いてＡＣＫ／ＮＡＣＫフィードバックを行う場合を例示的に説明したが、本発明の範囲がこれに制限されるものではない。例えば、多重アンテナポート送信を支援するＵＥが送信ダイバーシティ（ｔｒａｎｓｍｉｔ  ｄｉｖｅｒｓｉｔｙ）などのために複数のＰＵＣＣＨリソースを用いる場合にも、ＰＵＣＣＨリソース衝突を回避するために、本発明で説明した原理に基づいてＰＵＣＣＨリソースを適切に決定することができる。例えば、１つのＵＥが２つのＰＵＣＣＨリソースを使用する場合に、前述した方式によって、一番目のＰＵＣＣＨリソースをｎ＊に決定し、二番目のＰＵＣＣＨリソースはｎ＊＋１に決定できる。
【０１６２】
以下では、送信ダイバーシティを得るために、一つのＵＥが複数個のＰＵＣＣＨリソースを用いてＡＣＫ／ＮＡＣＫを送信する例示について具体的に説明する。
【０１６３】
以下の各例示では、ＵＥがＲＳの一つのアンテナポートを用いてＥ−ＰＤＣＣＨを検出（又は復調）すると仮定しており、該一つのアンテナポートによって送信ダイバーシティに用いられる複数のＰＵＣＣＨリソースを指示することができる。
【０１６４】
仮にＵＥがＥ−ＰＤＣＣＨの複数の（Ｅ）ＣＣＥのそれぞれを互いに異なるアンテナポートを用いて検出する場合のように複数のアンテナポートを用いてＥ−ＰＤＣＣＨを検出する場合は、ＵＥは一つの代表アンテナポート（又は、仮想（ｖｉｒｔｕａｌ）アンテナポート）を用いてＰＵＣＣＨリソースを決定してもよい。代表（ｒｅｐｒｅｓｅｎｔａｔｉｖｅ）アンテナポートは、使用したアンテナポートのうち、最小のインデックス値を持つものに決定されてもよく、又は代表（Ｅ）ＣＣＥ（例えば、最小のインデックスを持つ（Ｅ）ＣＣＥ）を検出するために使用したアンテナポートなどに決定されてもよい。
【０１６５】
例えば、組合せレベルＬを用いて（すなわち、（Ｅ）ＣＣＥ  ｎ０，ｎ１，…，ｎ（Ｌ−１）を用いて）ＤＬ割当が受信された場合に、ＵＥは、このＬ個の（Ｅ）ＣＣＥに連係したＬ個のＰＵＣＣＨリソースの中からＭ個を選択してＡＣＫ／ＮＡＣＫをフィードバックすることができる。
【０１６６】
ＤＬ割当を運ぶＰＤＣＣＨの復調のために用いられるＵＥ−特定ＲＳ（又はＤＭＲＳ）のアンテナポート番号がｐ（例えば、ｐ∈｛７，８，９，１０｝又はｐ∈｛１０７，１０８，１０９，１１０｝）である場合に、２つの（Ｅ）ＣＣＥｎｋ、ｎ（ｋ＋１）に連係したＰＵＣＣＨリソースを選択することができる。ここで、ｋとｐの関係は、ｋ＝（ｐ−７）＊Ｍ  ｍｏｄ  Ｌのような形態で与えられてもよく、ｋ＝（ｐ−１０７）＊Ｍ  ｍｏｄ  Ｌのように与えられてもよい。
【０１６７】
仮に、Ｍ＝２、Ｌ＝４と与えられると、Ｅ−ＰＤＣＣＨ検出関連アンテナポートが７や９の場合（又は１０７や１０９の場合）には、ＵＥは、ＰＵＣＣＨリソースｎ０及びｎ１を選択し、アンテナポートが８や１０の場合（又は、１０８や１１０の場合）には、ＰＵＣＣＨリソースｎ２及びｎ３を選択するように動作することができる。
【０１６８】
又は、同一のＥ−ＰＤＣＣＨに属しない（Ｅ）ＣＣＥに連係したＰＵＣＣＨリソースを使用可能な場合には、ｋ＝（ｐ−７）＊Ｍと決定（又はｋ＝（ｐ−１０７）＊Ｍと決定）してもよく、ｋ＜Ｌ−１になる場合にはｎｋ＝ｎ（Ｌ−１）＋ｋ−Ｌ＋１と決定してもよい。
【０１６９】
上記の各例示においてｋ値はアンテナポート番号に基づいて決定されるとしたが、Ｅ−ＰＤＣＣＨ関連ＲＳのスクランブリングシーケンス初期値（例えば、ＳＣＩＤ）に基づいて決定されてもよい。
【０１７０】
他の例示として、ＡＣＫ／ＮＡＣＫ  ＰＵＣＣＨリソース領域をＫ個に分割し、領域ｋ（＝０，１，…，Ｋ−１）の始点を
【０１７１】
【化１８】
0005908607.tif 000029
のような形態でＵＥに知らせた後、ＵＥは、ＤＬ割当送信に関連した特定（Ｅ）ＣＣＥインデックスｎ＊（例えば、最低インデックスの（Ｅ）ＣＣＥ  ｎ０、又はＵＥ  ＩＤなどから誘導される（Ｅ）ＣＣＥインデックス）を決定し、Ｍ個の適切なＰＵＣＣＨリソース
【０１７２】
【化１９】
0005908607.tif 000030
を用いるように動作できる。ここで、ｋを決定する一例として、ｋ＝（ｐ−７）＊Ｍの形態（又は、ｋ＝（ｐ−１０７）＊Ｍの形態）を与えることができる。また、ＰＵＣＣＨリソース領域の個数Ｋは、ＰＵＣＣＨにおけるＡＣＫ／ＮＡＣＫ送信方式に連動すればよい。例えば、Ｍ＝２となるＰＵＣＣＨ送信ダイバーシティモードが設定されると、一般にＭ＝１の場合に比べて２倍と多いＰＵＣＣＨリソースが必要となるため、Ｋ値をＭ＝１の場合に比べて２倍に設定すればよい。このように、ＵＥは、ＰＵＣＣＨリソースにおけるＡＣＫ／ＮＡＣＫ送信方式に基づいてＡＣＫ／ＮＡＣＫ  ＰＵＣＣＨリソース領域を分割する個数を異にすることができる。
【０１７３】
また、一つの（Ｅ）ＣＣＥに複数のＰＵＣＣＨリソースが連係されてもよい。一つの（Ｅ）ＣＣＥがＫ個のＰＵＣＣＨリソースを使用する場合、ＵＥは、ＤＬ割当送信に関連した特定（Ｅ）ＣＣＥインデックスｎ＊（例えば、最低インデックスの（Ｅ）ＣＣＥ  ｎ０、又はＵＥ  ＩＤなどから誘導される（Ｅ）ＣＣＥインデックス）を決定し、Ｍ個のＰＵＣＣＨリソース
【０１７４】
【化２０】
0005908607.tif 000031
を使用するように動作できる。ここで、ｋを決定する一例として、ｋ＝（ｐ−７）＊Ｍの形態（又はｋ＝（ｐ−１０７）＊Ｍの形態）を与えることができる。また、ＰＵＣＣＨリソース領域の個数Ｋは、ＰＵＣＣＨにおけるＡＣＫ／ＮＡＣＫ送信方式に連動すればよい。例えば、Ｍ＝２となるＰＵＣＣＨ送信ダイバーシティモードが設定されると、一般にＭ＝１の場合に比べて２倍と多いＰＵＣＣＨリソースが必要となるため、Ｋ値をＭ＝１の場合に比べて２倍に設定すればよい。
【０１７５】
上記の各例示のように、複数個のＰＵＣＣＨリソースを用いてＡＣＫ／ＮＡＣＫ送信をする場合に、同時に一つのＥ−ＰＤＣＣＨリソースで一つのＭＵ−ＭＩＭＯグループに属するＵＥの個数を制限してもよい。
【０１７６】
例えば、一つのＥ−ＰＤＣＣＨリソースに４個のＰＵＣＣＨリソースｍ０、ｍ１、ｍ２、ｍ３が割り当てられる場合を仮定する。単一のＥ−ＰＤＣＣＨリソースが４個の（Ｅ）ＣＣＥで構成され、各（Ｅ）ＣＣＥ別に１つのＰＵＣＣＨリソースが連係する場合や、単一のＥ−ＰＤＣＣＨリソースが２個の（Ｅ）ＣＣＥで構成され、各（Ｅ）ＣＣＥ別に２つのＰＵＣＣＨリソースが連係する場合などを挙げることができる。この場合、２つのＰＵＣＣＨリソースを用いて送信ダイバーシティを行うＵＥは、最大２個までＭＵ−ＭＩＭＯとなるように制限すればよい。ここで、ＰＵＣＣＨ送信ダイバーシティが適用されるＵＥでは、Ｅ−ＰＤＣＣＨと関連してアンテナポート７（又は１０７）を使用する場合は、ＰＵＣＣＨリソースｍ０及びｍ１を使用し、Ｅ−ＰＤＣＣＨと関連してアンテナポート８（又は１０８）を使用する場合は、ＰＵＣＣＨリソースｍ２及びｍ３を使用することができる。一方、ＰＵＣＣＨ送信ダイバーシティが適用されるＵＥでは、最大４個までＭＵ−ＭＩＭＯとなってもよい。この場合、各ＵＥは一つのＰＵＣＣＨリソースを占めることができる。ここで、ＰＵＣＣＨ送信ダイバーシティが適用される場合と適用されない場合の両方において極力同一のＰＵＣＣＨリソースが用いられるようにするために、ＰＵＣＣＨ送信ダイバーシティが適用されないＵＥは、Ｅ−ＰＤＣＣＨと関連してアンテナポート７、８、９、１０（又は、１０７、１０８、１０９、１１０）を使用する場合、それぞれ、ＰＵＣＣＨリソースｍ０、ｍ２、ｍ１、ｍ３を使用するように動作すればよい。
【０１７７】
（代表アンテナポート決定方案）
以下では、代表アンテナポート（又は、仮想アンテナポート）を用いてＥ−ＰＤＣＣＨ関連動作を行う本発明の例示について説明する。
【０１７８】
前述したように、一つのＥ−ＰＤＣＣＨが複数のリソース領域（例えば、（Ｅ）ＣＣＥ）を用いて送信される状況で、各リソース領域にマップされるアンテナポートが互いに異なる場合が発生することがある。この場合には、一つの代表アンテナポートを決定し、それに基づいてＥ−ＰＤＣＣＨ関連動作を行うことが好ましい。
【０１７９】
代表アンテナポートは次のいずれか一方案によって決定することができる。
【０１８０】
方案１−代表アンテナポートを、Ｅ−ＰＤＣＣＨのリソース領域にマップされるアンテナポートの中で最小のインデックス値を持つものに決定することができる。例えば、リソース領域１でアンテナポート７（又は１０７）が、リソース領域２でアンテナポート８（又は１０８）がマップされているとすれば、これらのリソース領域を全部使用するＥ−ＰＤＣＣＨに対して、代表アンテナポートをアンテナポート７（又は１０７）に決定することができる。
【０１８１】
方案２−代表アンテナポートを、Ｅ−ＰＤＣＣＨのリソース領域にマップされるアンテナポートの中で最大のインデックス値を持つものに決定することもできる。例えば、リソース領域１でアンテナポート７（又は１０７）が、リソース領域２でアンテナポート８（又は１０８）がマップされているとすれば、これらのリソース領域を全部使用するＥ−ＰＤＣＣＨに対して、代表アンテナポートはアンテナポート８（又は１０８）と決定されてもよい。
【０１８２】
この方案２は、あるセルにおけるＥ−ＰＤＣＣＨのＲＳアンテナポートと、隣接セルにおけるＰＤＳＣＨのＲＳアンテナポートとの衝突を回避するのに役立つことがある。例えば、隣接セルのＰＤＳＣＨが使用するＲＳは、そのランクに従って、アンテナポート７から始めてランク個数だけのアンテナポートを使用するようになるため、低いインデックスを持つアンテナポートがより高頻度で用いられる。そのため、上記方案２によってＥ−ＰＤＣＣＨの代表アンテナポートを決定すると、Ｅ−ＰＤＣＣＨの代表アンテナポートとしては、高いインデックスを持つアンテナポートがより高頻度で用いられ、よって、隣接セルのＰＤＳＣＨのアンテナポートとの衝突頻度を減らすことができる。また、後述する代表アンテナポートを用いたＥ−ＰＤＣＣＨ復調において特に有効である。
【０１８３】
方案３−代表アンテナポートを選択する優先順位（ｐｒｉｏｒｉｔｙ）を、ＲＲＣのような上位層信号を通じて事前にＵＥに伝達し、この優先順位に従ってＥ−ＰＤＣＣＨ関連アンテナポートのいずれか一つを選択することもできる。例えば、ｅＮＢは、アンテナポート７、８、９、１０（又は、アンテナポート１０７、１０８、１０９、１１０）に対する優先順位をあらかじめ与えておき、複数のアンテナポートが一つのＥ−ＰＤＣＣＨにマップされる場合には、複数個のアンテナポートの中で最高の優先順位を持つものを代表アンテナポートとして決定することができる。このような方案３は、代表アンテナポートを決定する方式をｅＮＢが調節できるため、セル間において代表アンテナポートが重ならないように（すなわち、それぞれ異なるように）して決定できるという利点がある。
【０１８４】
方案４−代表アンテナポートが決定される方式（又は、代表アンテナポートを選択する優先順位）が、（Ｅ）ＣＣＥインデックス、アンテナポート（ＡＰ）インデックス、ＵＥ  ＩＤ、セルＩＤなどに基づいて決定されるようにしてもよい。例えば、（Ｅ）ＣＣＥインデックス、ＡＰインデックス、ＵＥ  ＩＤ、セルＩＤなどのようなパラメータに基づくハッシュ関数（ｈａｓｈ  ｆｕｎｃｔｉｏｎ）をあらかじめ定義しておき、この関数値（すなわち、ハッシュ関数の結果値）を代表アンテナポートと設定することができる。これによって、別途のネットワークシグナリング無しにも、異なるＵＥが互いに異なる代表アンテナポートを使用するようになり、よって、ＲＳ衝突問題を防止し、且つ代表アンテナポート別に区別されたＰＵＣＣＨ領域を衝突無く使用することが可能になる。
【０１８５】
方案５−Ｅ−ＰＤＣＣＨのリソース領域の中から代表リソース領域（例えば、一つの（Ｅ）ＣＣＥ）を検出するために使用したアンテナポートを代表アンテナポートと決定してもよい。ここで、代表リソース領域は、Ｅ−ＰＤＣＣＨに用いられたリソース領域のうち最小のインデックス又は最大のインデックスを持つリソース領域とすることができる。
【０１８６】
方案６−Ｅ−ＰＤＣＣＨのリソース領域の中から代表リソース領域を検出するために用いられたアンテナポートを代表アンテナポートと決定する際、代表リソース領域を最小のリソース領域インデックスを持つリソース領域と決定することができるが、ここで、最小のリソース領域インデックスは、当該Ｅ−ＰＤＣＣＨを構成するリソース領域に最終的に付与されたインデックスにおける最小値ではなく、当該Ｅ−ＰＤＣＣＨを構成するリソース領域を決定する過程（すなわち、組合せ過程）で表されたインデックスにおける最小値であればよい。すなわち、組合せ（ａｇｇｒｅｇａｔｉｏｎ）が始まるリソース領域を代表リソース領域と決定することができる。
【０１８７】
上記方案６の一例として、一つのＰＲＢ対において複数のリソース領域（例えば、（Ｅ）ＣＣＥ）が定義され、一つのＥ−ＰＤＣＣＨを構成するリソース領域は同一ＰＲＢ対内に制限される場合に、リソース領域ｎから始って連続したリソース領域ｋ個を組み合わせて一つのＥ−ＰＤＣＣＨを送信する場合を仮定できる。ここで、当該Ｅ−ＰＤＣＣＨの領域として組み合わせが始まったリソース領域（すなわち、組合せ過程で最小のインデックスを持つリソース領域）であるリソース領域ｎを代表リソース領域とすることができる。組み合わされたリソース領域のそれぞれが実際に占める最終的なインデックスは、組合せ過程におけるリソース領域のインデックスとは異なる値となることがあるため、組合せ過程における最小のインデックスと最終的なインデックスとは区別されなければならない。例えば、リソース領域ｎから始まって連続したリソース領域ｋ個（すなわち、リソース領域ｎ，ｎ＋１，ｎ＋２，…，ｎ＋ｋ−１）においてリソース領域ｎが存在するＰＲＢ対と異なるＰＲＢ上にリソース領域ｎ＋１，ｎ＋２，…，ｎ＋ｋ−１が存在することがある。この場合、一つのＥ−ＰＤＣＣＨを構成するリソース領域が同一ＰＲＢ対内に制限されるという条件を考慮すれば、リソース領域ｎ，ｎ＋１−Ｐ，ｎ＋２−Ｐ，…，ｎ＋ｋ−１−Ｐ（ここで、Ｐは、リソース領域ｎが存在するＰＲＢ対と同じＰＲＢ対にリソース領域ｎ＋１−Ｐ，ｎ＋２−Ｐ，…，ｎ＋ｋ−１−Ｐを存在させる値と与えられる）を組み合わせて一つのＥ−ＰＤＣＣＨを構成すればよい。このような場合は、たとえ最終的に付与されたリソース領域のインデックスではリソース領域ｎが最小のインデックスを持たなくても、組合せ過程の観点ではリソース領域ｎを最小のインデックスを持つリソース領域と決定することができ、これによって、リソース領域ｎを代表リソース領域と決定することができる。
【０１８８】
上記方案６の他の例として、一つのＰＲＢ対がＰ個のリソース領域に分割されて、ｔ番目（ｔ＝０，１，…）のＰＲＢ対においてリソース領域Ｐｔ，Ｐｔ＋１，…，Ｐｔ＋Ｐ−１が定義されると仮定することもできる。例えば、Ｐ＝３とすれば、０番目のＰＲＢ対ではリソース領域０、１、２が定義され、一番目のＰＲＢ対ではリソース領域３、４、５が定義され、二番目のＰＲＢ対ではリソース領域６、７、８が定義されてよい。この場合、リソース領域Ｐｔ＋Ｐ−１とリソース領域Ｐｔ＋Ｐを組み合わせる場合は、両リソース領域が互いに異なるＰＲＢ対に位置することを防止するために、リソース領域インデックスＰｔ＋Ｘを、Ｐｔ＋（Ｘ  ｍｏｄ  Ｐ）演算した結果物であるインデックスに置き換えればよい。上の例示では、リソース領域Ｐｔ＋Ｐを、Ｐｔ＋（Ｐ  ｍｏｄ  Ｐ）の結果物であるＰｔに置き換えることができる。すなわち、同一ＰＲＢに属するＰｔ＋Ｐ−１とＰｔとを組み合わせることができる。ここで、組み合わされるリソース領域のうち、本来インデックスが最小だったＰｔ＋Ｐ−１が代表リソース領域となる。また、最終的なリソース領域に対するインデックスを計算する演算をより一般化して説明すると、組合せの始点をＰｔ＋ｎとして隣接したリソース領域を組み合わせる時、Ｐｔ＋（（ｎ＋ｋ）  ｍｏｄ  Ｐ）（ｋ＝０，１，…）に該当するリソース領域を組み合せることができ、本来インデックスが最小であるＰｔ＋ｎを代表リソース領域と決定することができる。
【０１８９】
方案７−代表リソース領域（例えば、（Ｅ）ＣＣＥ）を検出するために使用したアンテナポートを代表アンテナポートと決定するが、ここで、代表リソース領域は事前にＲＲＣのような上位層信号を通じて伝達されたり、又はリソース領域間の優先順位が事前に与えられ、複数のリソース領域が用いられる場合に、最上位の優先順位を持つリソース領域を代表リソース領域と決定することもできる。又は、複数のリソース領域を組み合わせて一つのＥ−ＰＤＣＣＨを構成する場合には、各リソース領域においてより低い組合せレベルの候補が構成されたか否かによって優先順位を付与することもできる。例えば、一つのＥ−ＰＤＣＣＨがリソース領域１とリソース領域２を組み合わせて組合せレベル２で送信される場合に、リソース領域１を用いる組合せレベル１の候補が存在しているため、ＵＥが当該リソース領域においてＥ−ＰＤＣＣＨ検出を試みたのに対し、リソース領域２では組合せレベル１の候補が存在しないため、ＵＥがＥ−ＰＤＣＣＨ検出を試みなかったとすれば、チャネル推定を再活用するために、リソース領域１を代表リソース領域と決定することができる。
【０１９０】
上記の方案１乃至７では、一つのＥ−ＰＤＣＣＨが複数のリソース領域（例えば（Ｅ）ＣＣＥ）を用いて送信される状況において各リソース領域にマップされる参照信号のスクランブリングシーケンスパラメータ（例えば、ＳＣＩＤ）が互いに異なる場合であっても、ＳＣＩＤのインデックスを基準にして上記の方案１乃至３のような方式で代表ＳＣＩＤパラメータを決定したり、又は他のパラメータ（ＵＥ  ＩＤ、セルＩＤなど）に基づいて代表ＳＣＩＤパラメータを決定したり、又はリソース領域のインデックスを基準にして代表リソース領域を決定し、該代表リソース領域にマップされるＳＣＩＤを代表ＳＣＩＤパラメータと決定することもできる。
【０１９１】
次に、前述した方案の一つ以上によって決定された代表アンテナポートを用いる方案の一例について説明する。
【０１９２】
基地局ではＥ−ＰＤＣＣＨをリソース要素にマップする際に代表アンテナポートを使用することができる。又は、端末では、Ｅ−ＰＤＣＣＨ復調に使用するＲＳのアンテナポートを代表アンテナポートと決定することができ、このような代表アンテナポートは、上記の方案１乃至７の一つ以上によって決定することができる。この方法は、一つのＥ−ＰＤＣＣＨに用いられる複数のリソース領域が単一ＰＲＢ対に位置したり、又は隣接したＰＲＢ対に位置する場合に有効であろう。これは、単一ＰＲＢ対や隣接ＰＲＢ対ではチャネル状態がほとんど一定に維持されるため、各リソース領域を別々のＲＳでチャネル推定しないで一つの代表アンテナポートＲＳで一度にチャネル推定を行うことができるためである。これによれば、代表アンテナポート以外のアンテナポートのＲＳの送信電力を代表アンテナポートのＲＳに割り当てて電力ブースティング（ｐｏｗｅｒ  ｂｏｏｓｔｉｎｇ）ができるため、より正確なチャネル推定が可能になる。
【０１９３】
図６及び図７は、本発明の一例によって、複数のリソース領域を通じて送信されるＥ−ＰＤＣＣＨを代表アンテナポートを用いて復調する動作を説明するための図である。図６には、単一ＰＲＢ対の場合を示し、図７には、隣接したＰＲＢ対の場合を示す。
【０１９４】
図６の例示で、一つのＰＲＢ対は４個の（Ｅ）ＣＣＥに分割され、各（Ｅ）ＣＣＥにアンテナポート７、８、９、１０がそれぞれマップされたと仮定する。また、図６の例示では、ｅＮＢが（Ｅ）ＣＣＥ  ０と（Ｅ）ＣＣＥ  ２を使用（又は組合せ）して単一Ｅ−ＰＤＣＣＨをＵＥに送信するとする。この場合、ＵＥはまず、前述した方案の一つ以上によって２つのリソース領域（すなわち、（Ｅ）ＣＣＥ  ０及び２）の代表アンテナポートを決定することができる。例えば、代表アンテナポートとしてＡＰ  ９（又は、ＡＰ  １０９）が選択されるとする。これによって、これらの（Ｅ）ＣＣＥ  ０及び２において、代表アンテナポートに該当するＲＳ（ＵＥ−特定ＲＳ又はＤＭＲＳ）を用いてチャネルを推定し、推定されたチャネルに基づいてＥ−ＰＤＣＣＨ復調を行うことができる。
【０１９５】
図７の例示は、隣接したＰＲＢ対に位置する２つのリソース領域（すなわち、（Ｅ）ＣＣＥ０及び６）を組み合わせて１つのＥ−ＰＤＣＣＨを送信する場合を示す。図７の例示で代表アンテナポートがＡＰ  ９（又は、ＡＰ  １０９）と決定された場合に、ＵＥは、代表アンテナポートに該当するＲＳを用いてチャネルを推定し、推定されたチャネルに基づいてＥ−ＰＤＣＣＨ復調を行うことができる。
【０１９６】
代表アンテナポート決定において上記の方案１乃至９は一つ以上が複合的に適用されてもよい。
【０１９７】
例えば、方案５又は６のように、代表アンテナポートが、代表リソース領域（例えば最小のインデックスを持つリソース領域）を検出するために使用したアンテナポートと決定されるようにすることができる。この方法は、代表リソース領域というものを定義することによって、リソース領域に連結された各種動作、例えば、リソース領域に連結されたＡＣＫ／ＮＡＣＫリソースを選択する動作と共に運営され得るという利点がある。また、方案３、４又は７のように、代表アンテナポートを選定する優先順位をＲＲＣなどの上位層信号を通じて設定すると、セル間のアンテナポートを重ならないようにし、ＲＳ間の干渉を回避できるという利点がある。このような利点を同時に提供するために、上記の諸方案を複合的に適用することも可能である。例えば、最小のインデックスを持つ代表リソース領域に割り当てられたアンテナポートを代表アンテナポートと決定し、このとき、各リソース領域にインデックスを付与する方式をＲＲＣなどの上位層信号を通じて設定するようにしてもよい。
【０１９８】
図８は、本発明の他の例によって、複数のリソース領域を通じて送信されるＥ−ＰＤＣＣＨを、代表アンテナポートを用いて復調する動作を説明するための図である。図８の例示では、隣接した２つのセルが、同一ＰＲＢ対内に存在するリソース領域（例えば、（Ｅ）ＣＣＥ）に同一方式でアンテナポートを割り当てるが、リソース領域インデックス（例えば、（Ｅ）ＣＣＥインデックス）は互いに異なる方式で付与する方案を示す。これによれば、当該ＰＲＢ対内の全てのリソース領域が組み合わされる場合にも、代表リソース領域（例えば、各セルで最小のインデックスを持つリソース領域）及び該代表リソース領域にマップされる代表アンテナポートをセル間において重ならないように（又は、互いに異なるように）決定することができる。
【０１９９】
図８の例示で、セル１及び２は互いに異なる方式でリソース領域にインデックスを付与するため、代表リソース領域のインデックス（すなわち、最低インデックス）が一様に０であっても、実際に当該リソース領域インデックスが指示する物理的インリソース領域の位置は互いに異なるように決定され、よって、セル別に異なる代表リソース領域を決定することができる。これによって、決定された代表リソース領域にマップされるアンテナポート（すなわち、代表アンテナポート）も、セル別に異なるように決定することができる。
【０２００】
図８の例示では、セル１に属したＵＥは、リソース領域インデックス０に該当するリソース領域（物理リソース位置の観点で一番目のリソース領域）を代表リソース領域と決定し、決定された代表リソース領域に該当するアンテナポート（すなわち、ＡＰ  ７）を代表アンテナポートと決定し、この代表アンテナポートに該当するＲＳを用いて一つのＥ−ＰＤＣＣＨの全リソース領域（リソース領域インデックス０乃至３）を復調することができる。一方、セル２に属したＵＥは、リソース領域インデックス０に該当するリソース領域（物理リソース位置の観点で三番目のリソース領域）を代表リソース領域と決定し、決定された代表リソース領域に該当するアンテナポート（すなわち、ＡＰ９）を代表アンテナポートと決定し、この代表アンテナポートに該当するＲＳを用いて一つのＥ−ＰＤＣＣＨの全リソース領域（リソース領域インデックス０乃至３）を復調することができる。
【０２０１】
リソース領域にインデックスを付与する方式は、ＲＲＣのような上位層信号を通じて各リソース領域にインデックスを直接付与する方式にしてもよく、又は、セルＩＤやＵＥ  ＩＤなどのパラメータから所定の規則に従ってリソース領域のインデックスが誘導される方式にしてもよい。
【０２０２】
例えば、ｅＮＢは、直接的なシグナリング、又は他のパラメータから誘導される間接的なシグナリングを通じて特定シード（ｓｅｅｄ）値をＵＥに伝達することができる。ＵＥは、ｅＮＢから提供されたシード値に基づいて、Ｅ−ＰＤＣＣＨリソース領域（例えば、（Ｅ）ＣＣＥ）のインデックスに所定のオフセットを付与してもよく、シード値によって決定されるパターンでリソース領域インデックスの位置を修正（例えば、パーミュテーション（ｐｅｒｍｕｔａｔｉｏｎ）、循環シフト（ｃｙｃｌｉｃ  ｓｈｉｆｔ）又はインターリービング（ｉｎｔｅｒｌｅａｖｉｎｇ））してもよい。
【０２０３】
図８の例示で、セル２（Ｃｅｌｌ２）は、セル１が付与するインデックスに比べて２だけのオフセット（又は循環シフト）を適用して、リソース領域にインデックスを付与している。
【０２０４】
また、セル間干渉協調（ｉｎｔｅｒ−ｃｅｌｌ  ｉｎｔｅｒｆｅｒｅｎｃｅ  ｃｏｏｒｄｉｎａｔｉｏｎ；ＩＣＩＣ）のために、特定セルは、自身がリソース領域インデックスを付与した方式や、代表リソース領域及びアンテナポート決定に適用する基準（例えば、代表アンテナポート選定に適用する各アンテナポート別優先順位や各リソース領域に割り当てられたアンテナポート情報など）に関する情報を隣接セルにバックホールリンク（ｂａｃｋｈａｕｌ  ｌｉｎｋ）などを通じて伝達することができる。
【０２０５】
また、前述したような代表リソース領域決定動作及び／又は代表アンテナポート決定動作は、全体Ｅ−ＰＤＣＣＨ  ＰＲＢ対に対して適用されてもよく、個別ＰＲＢ対の単位で適用されたり、又はＰＲＢ対グループ（例えば、所定の個数の隣接したＰＲＢ対の集合）の単位で適用されてもよい。特に、チャネル推定をＰＲＢ対又はＰＲＢ対グループの単位で行う場合は、ＰＲＢ対又はＰＲＢ対グループ内で一つの代表アンテナポートを選定し、特定Ｅ−ＰＤＣＣＨに組み合わされたリソース領域のうち、同一のＰＲＢ対又はＰＲＢ対グループに属するリソース領域は、当該代表アンテナポートを用いて検出を試みる（又は、当該代表アンテナポートに該当するＲＳを用いてＥ−ＰＤＣＣＨ復調を試みる）ことができる。
【０２０６】
以下では、前述した本発明の代表アンテナポートを決定する動作の具体的な実施例について説明する。本発明の代表的な例示として、上記諸案のうち方案４に従う例を挙げる。すなわち、（Ｅ）ＣＣＥインデックス、ポートインデックス、ＵＥ  ＩＤ、セルＩＤのような他のパラメータに基づいてハッシュ関数を定義し、この関数値を代表アンテナポートと決定する方案による具体的な例示について説明する。
【０２０７】
Ｅ−ＰＤＣＣＨの組合せレベルがＬであるということは、一つのＥ−ＰＤＣＣＨがＬ個の（Ｅ）ＣＣＥの組合せで構成されるということを意味する。このようなＬ個の（Ｅ）ＣＣＥは、＃ｎＣＣＥ，＃ｎＣＣＥ＋１，＃ｎＣＣＥ＋２，…，＃ｎＣＣＥ＋Ｌ−１（又は、＃ｎＥＣＣＥ，＃ｎＥＣＣＥ＋１，＃ｎＥＣＣＥ＋２，…，＃ｎＥＣＣＥ＋Ｌ−１）と表現することができる。それぞれの（Ｅ）ＣＣＥに割当（又はマップ）されるアンテナポート（ＡＰ）のインデックスは、次のように決定することができる。
【０２０８】
例示１−一つのＰＲＢ対において４個の（Ｅ）ＣＣＥが形成され、（Ｅ）ＣＣＥ順にＡＰ＃ｐ、＃ｐ＋１、＃ｐ＋２、＃ｐ＋３を割り当てることができる。この例示は、正規ＣＰサブフレームのように４個以上のＡＰが定義されるとともに、Ｅ−ＰＤＣＣＨで活用可能なＲＥの個数も充分な場合に適用することができる。
【０２０９】
例示２−一つのＰＲＢ対において２個の（Ｅ）ＣＣＥが形成され、（Ｅ）ＣＣＥ順にＡＰ＃ｐ、＃ｐ＋２を割り当てることができる。この例示は、正規ＣＰサブフレームのように４個以上のＡＰが定義されるが、Ｅ−ＰＤＣＣＨで活用可能なＲＥの個数が充分でないため、一つのＰＲＢ対において２個の（Ｅ）ＣＣＥのみが形成される場合に適用することができる。
【０２１０】
このとき、ＡＰインデックスから２だけ離れたＤＭＲＳ（すなわち、ＤＭＲＳポート＃ｐ及び＃ｐ＋２）を使用するため、ＤＭＲＳが互いに異なったＲＥで独自の送信電力を消耗して送信されるようにすることができる。例えば、ＤＭＲＳポート７及び８（又は、１０７及び１０８）は、同一ＲＥで異なった直交カバーコードを用いてＣＤＭ方式で多重化して送信され、ＤＭＲＳポート９及び１０（又は、１０９及び１１０）は、他の同一ＲＥで異なった直交カバーコードを用いてＣＤＭ方式で多重化して送信されてもよい。この例示２のように、２個の（Ｅ）ＣＣＥに対してＡＰ７及び９（又は、ＡＰ１０７及び１０９）が割り当てられる場合に、ＡＰ７と９（又は、ＡＰ１０７と１０９）のＤＭＲＳが送信されるＲＥ位置が互いに異なるため、ＡＰ別に異なるＲＥ送信電力を適用することができる。
【０２１１】
例示３−一つのＰＲＢ対において２個の（Ｅ）ＣＣＥが形成され、（Ｅ）ＣＣＥ順にＡＰ＃ｐ、＃ｐ＋１を割り当てることができる。この例示は、拡張ＣＰサブフレームのように２個のＡＰのみが定義される場合に適用することができる。
【０２１２】
ここで、Ｅ−ＰＤＣＣＨに対する代表ＡＰインデックスは、下の式５のような関数（例えば、ハッシュ関数）によって決定することができる。
【０２１３】
【数５】
0005908607.tif 000032
また、代表ＡＰインデックスは、下の式６のような関数によって決定されてもよい。下の式６は、Ｅ−ＰＤＣＣＨの組合せレベルが一つのＰＲＢ対に形成された（Ｅ）ＣＣＥの個数ｄを超える場合に、ｄ個のＡＰインデックスのいずれか一つが代表ＡＰインデックスとして選択されるように制限するために定義できる。
【０２１４】
【数６】
0005908607.tif 000033
上の式５及び６で、ｐは、Ｅ−ＰＤＣＣＨが用いる（又は、Ｅ−ＰＤＣＣＨの復調のために用いられる）ＤＭＲＳポートインデックス（ポートインデックス７、８、９、１０又はポートインデックス１０７、１０８、１０９、１１０）のうち最小値（すなわち、７又は１０７）を意味する。ｎＣＣＥ又はｎＥＣＣＥは、Ｅ−ＰＤＣＣＨ送信に用いられる（Ｅ）ＣＣＥのインデックスのうち最低の値を意味する（例えば、ｎＣＣＥ，ｌｏｗ又はｎＥＣＣＥ，ｌｏｗと表現できる）。ｄは、一つのＰＲＢ対で形成される（Ｅ）ＣＣＥの個数を表す（例えば、ＮＲＢＣＣＥ又はＮＲＢＥＣＣＥと表現できる）。Ｘは、代表ＡＰを設定する優先順位を決定するパラメータ（例えば、ＵＥ  ＩＤ）に該当する（例えば、ＵＥ  ＩＤをｎＲＮＴＩに設定でき、この場合Ｘ＝ｎＲＮＴＩであってよい。）。また、Ｌは、組合せレベルであるから、一つのＥ−ＰＤＣＣＨに用いられる（Ｅ）ＣＣＥの個数を意味する（例えば、ＮＣＣＥＥＰＤＣＣＨ又はＮＥＣＣＥＥＰＤＣＣＨと表現できる）。ｍｉｎ（ａ，ｂ）は、ａとｂのうち最小値を意味する。Ｚは、１又は２の値を有する。例えば、例示１又は３のように２個の（Ｅ）ＣＣＥに割り当てられるＡＰの間隔が１であれば（例えば、ＡＰインデックス７及び８（又は、１０７及び１０８）の場合は）、Ｚ＝１と与え、例示２のように２個の（Ｅ）ＣＣＥに割り当てられるＡＰの間隔が２であれば（例えば、ＡＰインデックス７及び９（又は、１０７及び１０９）の場合は）、Ｚ＝２と与えることができる。
【０２１５】
上の式６によって代表ＡＰを決定する方式と同一の意味を、下の式７及び表８のように表現することもできる。
【０２１６】
【数７】
0005908607.tif 000034
【０２１７】
【表８】
0005908607.tif 000035
上の式７及び表８で、ｎ’は、所定のパラメータＸ（例えば、端末の識別子）から導出されるＥ−ＰＤＣＣＨのリソース領域（例えば、（Ｅ）ＣＣＥ）インデックスを決定するパラメータに該当する。例えば、ｎ’は、Ｅ−ＰＤＣＣＨの代表リソース領域（又は、代表（Ｅ）ＣＣＥ）インデックス）を決定するパラメータを意味できる。すなわち、上の式７及び表８は、代表ＡＰが代表（Ｅ）ＣＣＥに対応する（又は、マップされる）ものと決定されることを示している。また、表８において、例示１は、前述したように、正規ＣＰサブフレームでＥ−ＰＤＣＣＨのために使用可能なリソース（例えば、ＯＦＤＭシンボル、又はリソース要素）の個数が所定の基準値以上である場合、又は一つのＰＲＢ内に定義される（Ｅ）ＣＣＥの個数が４個である場合であって、Ｚ＝１と与えられるので、ＡＰ間隔を１と決定できる。表８で、例示２は、前述したように、正規ＣＰサブフレームでＥ−ＰＤＣＣＨのために使用可能なリソースの個数が所定の基準値未満である場合、又は一つのＰＲＢ内に定義される（Ｅ）ＣＣＥの個数が２個である場合であって、Ｚ＝２と与えられるので、ＡＰ間隔を２と決定できる。表８で、例示３は、拡張ＣＰサブフレームの場合であって、最大２個のＡＰがＥ−ＰＤＣＣＨのために用いられ、Ｚ＝１と与えられるため、ＡＰ間隔を１と決定できる。
【０２１８】
又は、パラメータＸは、ＵＥ  ＩＤによって代表ＡＰが決定されるようにする値（すなわち、パラメータＸはＵＥ  ＩＤから誘導される値）であってもよい。例えば、ＵＥ  ＩＤがｎＲＮＴＩと与えられる場合に、Ｘは、３ＧＰＰ  ＬＴＥシステムでＰＤＣＣＨの探索空間を決定する時に使用する関数値Ｙｋのように与えられてもよい。例えば、Ｙｋは、下の式８のように、ＵＥ  ＩＤ（例えば、ｎＲＮＴＩ）によってその値が決定される。
【０２１９】
【数８】
0005908607.tif 000036
上の式８で、ｋはサブフレームのインデックスを意味する。Ａ及びＤは、適切な数字と定められればよく、例えば、
【０２２０】
【化２１】
0005908607.tif 000037
であってよい。
【０２２１】
上記の式５及び６で、組合せレベルが１の場合（すなわち、Ｌ＝１の場合）には、Ｘ  ｍｏｄ  Ｌ演算の結果が０となるため、パラメータＸが代表ＡＰの決定に影響を与えず、各ＰＲＢ対内で当該（Ｅ）ＣＣＥの位置に従って順に割り当てられたＡＰを代表ＡＰとして使用することができる。又は、組合せレベルが１の場合には一つのＥ−ＰＤＣＣＨが一つの（Ｅ）ＣＣＥで構成されるため、この一つの（Ｅ）ＣＣＥにマップされるＡＰが一つの代表ＡＰになるといえる。
【０２２２】
一方、Ｌ≧２の場合は、Ｘの値によって最初の（Ｅ）ＣＣＥと最後の（Ｅ）ＣＣＥ間に存在する一つの（Ｅ）ＣＣＥが決定され、決定された一つの（Ｅ）ＣＣＥに割り当てられた（又はマップされた）ＡＰを代表ＡＰと決定することができる。
【０２２３】
一方、上記の式５及び６で、Ｘは、ＵＥ  ＩＤなどのパラメータから誘導される値に定めれてもよいが、基地局がより直接的に代表ＡＰの選択を調節するために、上位層信号を通じてＸとして用いられる値を基地局が直接指示してもよい。
【０２２４】
前述したように、Ｅ−ＰＤＣＣＨの検出（又は、Ｅ−ＰＤＣＣＨの復調）に使用する代表（Ｅ）ＣＣＥ（又は、代表ＡＰ）を選定するにあたり、ＵＥには複数のＥ−ＰＤＣＣＨセットが設定されてもよい。
【０２２５】
例えば、ｅＮＢは、一つのＵＥに二つのＥ−ＰＤＣＣＨセット（すなわち、Ｅ−ＰＤＣＣＨ  ｓｅｔ１及びＥ−ＰＤＣＣＨ  ｓｅｔ２）を設定し、当該ＵＥがモニタリングするＥ−ＰＤＣＣＨ候補を、二つのＥ−ＰＤＣＣＨセットに適切に分配することができる。ここで、二つのＥ−ＰＤＣＣＨセットは、ＰＲＢ領域で重なっても重ならなくてもよく、ＤＭＲＳスクランブリングシーケンス又は使用するＰＲＢ個数などのパラメータが互いに異なるように設定されてもよい。
【０２２６】
このように複数のＥ−ＰＤＣＣＨセットが設定される場合は、代表（Ｅ）ＣＣＥ（又は代表ＡＰ）を設定する方式もＥ−ＰＤＣＣＨセット別に異なるように決定されればよい。例えば、上記の式５又は６のような関数によって代表ＡＰが決定される場合、ＡＰインデックス決定に用いられるパラメータＸは、複数個のＥ−ＰＤＣＣＨセットにおいて異なるように設定されてもよい。仮に第１ＵＥに代表ＡＰを設定する基準が複数個のＥ−ＰＤＣＣＨセットごとに異なるように与えられると、これら複数個のＥ−ＰＤＣＣＨセットのいずれか一つのＥ−ＰＤＣＣＨセット（例えば、Ｅ−ＰＤＣＣＨ  ｓｅｔ１）では第２ＵＥと同じ基準によってＡＰを選定するように設定されるため（すなわち、第１及び第２ＵＥが同一ＡＰのＤＭＲＳを用いてＥ−ＰＤＣＣＨ復調を行うようになる場合）、ＭＵ−ＭＩＭＯ動作が難しいといっても、他のＥ−ＰＤＣＣＨセット（例えば、Ｅ−ＰＤＣＣＨ  ｓｅｔ２）では高い確率で第２ＵＥとは異なる基準によってＡＰを選定するようになるため（すなわち、第１及び第２ＵＥが互いに異なるＡＰのＤＭＲＳを用いてＥ−ＰＤＣＣＨ復調を行うようになる場合）、ＭＵ−ＭＩＭＯ動作が可能になる。
【０２２７】
前述のＥ−ＰＤＣＣＨセット別に与えられる（すなわち、Ｅ−ＰＤＣＣＨセット−特定）パラメータＸは、上記の式８のようなＹｋから誘導できる。例えば、Ｅ−ＰＤＣＣＨ  ｓｅｔ１のためのパラメータＸ１はＹｋと同一に与えられるが、Ｅ−ＰＤＣＣＨ  ｓｅｔ２のためのパラメータＸ２は、Ｘ１に一定の数字を足した値と同じ形態で決定されるとよい。このようなＸ１とＸ２の関係を、下の式９のように定義できる。
【０２２８】
【数９】
0005908607.tif 000038
上の式９で、Ｇは１以上の整数を表し、ＭＬ，１は、Ｅ−ＰＤＣＣＨ  ｓｅｔ１に存在する組合せレベルＬのＥ−ＰＤＣＣＨ候補の個数を表す。上の式９によれば、Ｅ−ＰＤＣＣＨ  ｓｅｔ１とＥ−ＰＤＣＣＨ  ｓｅｔ２の探索空間を連続して配置する方法を適用する時、探索空間の開始（Ｅ）ＣＣＥインデックスを、各Ｅ−ＰＤＣＣＨセットでの代表ＡＰ選択基準として活用することを意味することができる。
【０２２９】
他の例示として、Ｅ−ＰＤＣＣＨ  ｓｅｔ１及びｓｅｔ２に対するＸ１とＸ２は両方とも式８によって決定されるが、上の式８のパラメータＡ及び／又はＤがＸ１とＸ２別に異なるように設定されるようにし、同一ＵＥ  ＩＤ（例えば、ｎＲＮＴＩ）から異なったＸ１とＸ２が導出されるようにすることができる。このような過程を通じて、一つの端末は、異なるＥ−ＰＤＣＣＨセットに対して異なる基準によって代表（Ｅ）ＣＣＥ（又は代表ＡＰ）を選択でき、選択された代表ＡＰに該当するＲＳを用いてＥ−ＰＤＣＣＨ検出（又は復調）を行うことができる。
【０２３０】
また、前述したように、選択／決定された代表ＡＰ（又は代表（Ｅ）ＣＣＥ）に連係したＰＵＣＣＨリソースをＡＣＫ／ＮＡＣＫフィードバックのために使用することもできる。例えば、上記の式５又は６によって代表ＡＰを決定する際、代表（Ｅ）ＣＣＥが決定され、それに該当する（又はマップされる）ＡＰが代表ＡＰとして決定される。すなわち、代表（Ｅ）ＣＣＥは、上記の式５又は６でｐ以外の部分（すなわち、式７でのｎ’）に対応できる。例えば、ｎ’にＡＰの最小値（７又は１０７）を合算して代表ＡＰを決定するのと同様、ｎ’の値と代表（Ｅ）ＣＣＥインデックス（ｎ＊）を一対一のマップ関係によって決定することができる。代表（Ｅ）ＣＣＥが決定されると、それに連係したＰＵＣＣＨリソースをＡＣＫ／ＮＡＣＫフィードバックのために用いることができる。
【０２３１】
例えば、Ｅ−ＰＤＣＣＨに連係したＰＵＣＣＨリソース決定方案で説明した例示のうち、ＵＥがＬ個（Ｌ＝組合せレベル）の（Ｅ）ＣＣＥの中から特定（Ｅ）ＣＣＥインデックスｎ＊を決定し、この特定（Ｅ）ＣＣＥインデックスに所定のオフセット（例えば、ｋ）を適用した（Ｅ）ＣＣＥインデックスｎ＊＋ｋに連係したＰＵＣＣＨリソース
【０２３２】
【化２２】
0005908607.tif 000039
を選択してＡＣＫ／ＮＡＣＫをフィードバックする方案が適用されると仮定する。
【０２３３】
ここで、特定（Ｅ）ＣＣＥインデックスｎ＊を決定する際、上記の式７におけるｎ’を考慮することができる。すなわち、特定（Ｅ）ＣＣＥインデックスｎ＊は、ＵＥ  ＩＤを考慮して決定されるｎ’に対応するインデックスと決定することができる（ここで、ｎ’は上記の式７のように定義できる）。所定のオフセットに該当するｋの値は、ＤＬ割当のＤＣＩフォーマットの特定フィールドを用いて指示できる。
【０２３４】
【化２３】
0005908607.tif 000040
は、ＰＵＣＣＨリソース領域の始点を知らせるオフセット値であり、ＲＲＣなどの上位層シグナリングを通じて提供できる。また、一つのＵＥが二つのＰＵＣＣＨリソースを用いてＡＣＫ／ＮＡＣＫ送信を行う場合に、一番目のＰＵＣＣＨリソースのインデックスは
【０２３５】
【化２４】
0005908607.tif 000041
と決定され、二番目のＰＵＣＣＨリソースのインデックスは
【０２３６】
【化２５】
0005908607.tif 000042
と決定できる。
【０２３７】
図９及び１０は、本発明の例示によるＥ−ＰＤＣＣＨベースの動作方法を説明するためのフローチャートである。
【０２３８】
図９の例示は、Ｅ−ＰＤＣＣＨ代表ＡＰを決定し、それに基づいてＥ−ＰＤＣＣＨ送受信動作が行われる方法に関する。
【０２３９】
図９の段階Ｓ９１１で、基地局は、特定端末に対するＥ−ＰＤＣＣＨ送信のためにＥ−ＰＤＣＣＨがマップされるリソース領域を決定することができる。ここで、基地局は、Ｅ−ＰＤＣＣＨがマップされるリソース領域のうち代表（Ｅ）ＣＣＥインデックスに対応する（又は、マップされる）代表ＡＰインデックスを決定することができる。代表（Ｅ）ＣＣＥ及び／又は代表ＡＰを決定する方式は、前述した本発明の例示に従えばよい。例えば、代表ＡＰを、端末の識別子に基づいて決定される代表（Ｅ）ＣＣＥ（例えば、上記の式７におけるｎ’）に対応するものと決定することができる。
【０２４０】
段階Ｓ９１２で、基地局はＥ−ＰＤＣＣＨをリソース要素上にマップし、特定端末に送信することができる。
【０２４１】
一方、段階Ｓ９２１で、端末はＥ−ＰＤＣＣＨモニタリング（すなわち、デコーディング試み）のために、Ｅ−ＰＤＣＣＨが送信されるリソース領域に関する情報から代表（Ｅ）ＣＣＥを決定し、代表（Ｅ）ＣＣＥに対応する代表ＡＰを決定することができる。代表（Ｅ）ＣＣＥ及び／又は代表ＡＰを決定する方式は、前述した本発明の例示に従えばよい。例えば、代表ＡＰを、端末の識別子に基づいて決定される代表（Ｅ）ＣＣＥ（例えば、上記の式７におけるｎ’）に対応するものと決定することができる。
【０２４２】
段階Ｓ９２２で、端末は代表ＡＰを用いてＥ−ＰＤＣＣＨ復調を行うことができる。例えば、代表ＡＰに該当するＤＭＲＳに基づいて推定されたチャネルを用いて、Ｅ−ＰＤＣＣＨ復調を行うことができる。
【０２４３】
図１０の例示は、Ｅ−ＰＤＣＣＨによって指示されるＰＤＳＣＨ送信に対するＡＣＫ／ＮＡＣＫ情報を端末が基地局にフィードバックするに当たってＰＵＣＣＨリソースを決定する方法に関する。
【０２４４】
図１０の段階Ｓ１０１１及びＳ１０１２は、図９の段階Ｓ９１１及びＳ９１２に対応し、図１０の段階Ｓ１０２１及びＳ１０２２は、図９の段階Ｓ９２１及びＳ９２２に対応するので、重複説明は省略する。
【０２４５】
段階Ｓ１０１３で、基地局はＥ−ＰＤＣＣＨを介して送信される下りリンク割当ＤＣＩによってスケジューリングされるＰＤＳＣＨを介して下りリンクデータを端末に送信することができる。
【０２４６】
段階Ｓ１０２３で、端末はＰＤＳＣＨをデコードし、デコーディングの成否によってＡＣＫ／ＮＡＣＫ情報を生成することができる。
【０２４７】
段階Ｓ１０２４で、端末は、生成されたＡＣＫ／ＮＡＣＫ情報を送信するためのＰＵＣＣＨリソース（例えば、ＰＵＣＣＨフォーマット１ａ／１ｂリソース）を決定することができる。ここで、端末は、当該ＰＤＳＣＨに関連したＥ−ＰＤＣＣＨの（Ｅ）ＣＣＥの中から、端末の識別子に基づいて決定される代表（Ｅ）ＣＣＥ（例えば、上記の式７におけるｎ’）を決定し、該代表（Ｅ）ＣＣＥに対応するＰＵＣＣＨリソースを決定することができる。
【０２４８】
段階Ｓ１０２５で、端末は、決定されたＰＵＣＣＨリソースを用いてＡＣＫ／ＮＡＣＫ情報を基地局に送信することができる。
【０２４９】
段階Ｓ１０１４で、基地局は、端末からのＡＣＫ／ＮＡＣＫ情報を受信することができる。基地局では、端末が当該ＡＣＫ／ＮＡＣＫ情報を送信するＰＵＣＣＨリソースを決定する方式と同じ方式でＰＵＣＣＨリソースを決定してＡＣＫ／ＮＡＣＫ情報の受信を試みることができる。
【０２５０】
前述の本発明の様々な実施例で説明した事項は、独立して適用されてもよく、２つ以上の実施例が同時に適用されてもよい。ここで、重複する内容については明確性のために説明を省略する。
【０２５１】
また、本発明の様々な実施例の説明において、下りリンク送信主体又は上りリンク受信主体（ｅｎｔｉｔｙ）としては主に基地局を例に取って説明し、下りリンク受信主体又は上りリンク送信主体としては主に端末を例に取って説明したが、本発明の範囲がこれに制限されるものではない。すなわち、中継機が端末への下りリンク送信主体となったり端末からの上りリンク受信主体となる場合、又は中継機が基地局への上りリンク送信主体となったり基地局からの下りリンク受信主体となる場合にも、本発明の様々な実施例を挙げて説明した本発明の原理を同一に適用することができる。
【０２５２】
図１１は、本発明に係る基地局装置及び端末装置の好適な実施例の構成を示す図である。
【０２５３】
図１１を参照すると、本発明に係る基地局装置１１１０は、送信器１１１１、受信器１１１２、プロセッサ１１１３、メモリー１１１４及び複数個のアンテナ１１１５を備えている。複数個のアンテナ１１１５はＭＩＭＯ送受信を支援する基地局装置を意味する。送信器１１１１は外部装置（例えば、端末）に各種信号、データ及び情報を送信することができる。受信器１１１２は外部装置（例えば、端末）から各種信号、データ及び情報を受信することができる。プロセッサ１１１３は、基地局装置１１１０の動作全般を制御することができる。
【０２５４】
本発明の一例に係る基地局装置１１１０は、下りリンク制御チャネル（例えば、Ｅ−ＰＤＣＣＨ）を送信するように構成することができる。基地局装置１１１０のプロセッサ１１１３は、下りリンク制御チャネルに対して用いられる一つのアンテナポート（すなわち、代表ＡＰ）を決定するように構成することができる。また、プロセッサ１１１３は、決定された一つのアンテナポートを用いて下りリンク制御チャネルをリソース要素にマップするように構成することもできる。また、プロセッサ１１１３は、マップされた下りリンク制御チャネルを送信器１１１１を介して端末１１２０に送信するように構成することができる。ここで、一つのアンテナポート（すなわち、代表ＡＰ）のインデックスは、本発明で説明する様々な方案によって決定することができる。例えば、端末１１２０の識別子から導出される（Ｅ）ＣＣＥインデックスに基づいて一つの代表ＡＰインデックスを決定することができる。
【０２５５】
本発明の他の例に係る基地局装置１１１０は、確認応答情報を受信するように構成することもできる。基地局装置１１１０のプロセッサ１１１３は、端末１１２０に下りリンクデータのスケジューリング情報を運ぶ下りリンク制御チャネル（例えば、Ｅ−ＰＤＣＣＨ）、及び該下りリンク制御チャネルによって指示される下りリンクデータチャネルを送信器１１１１を介して送信するように構成することができる。また、プロセッサ１１１３は、下りリンクデータチャネルに対するＡＣＫ／ＮＡＣＫフィードバック情報を、上りリンク制御チャネル（例えば、ＰＵＣＣＨ）リソースを通じて端末１１２０から受信器１１２０を介して受信するように構成することができる。ここで、ＰＵＣＣＨリソースのインデックスは、本発明で説明する様々な方案によって決定することができる。例えば、端末１１２０の識別子から導出される（Ｅ）ＣＣＥインデックスに基づいてＰＵＣＣＨリソースのインデックスを決定することができる。
【０２５６】
基地局装置１１１０のプロセッサ１１１３は、その他にも、基地局装置１１１０が受信した情報、外部に送信する情報などを演算処理する機能を果たし、メモリー１１１４は、演算処理された情報などを所定時間記憶することができ、バッファー（不図示）などの構成要素に取り替えられてもよい。
【０２５７】
また、図１１を参照すると、本発明に係る端末装置１１２０は、送信器１１２１、受信器１１２２、プロセッサ１１２３、メモリー１１２４及び複数個のアンテナ１１２５を備えている。複数個のアンテナ１１２５は、ＭＩＭＯ送受信を支援する端末装置を意味する。送信器１１２１は、外部装置（例えば、基地局）に各種信号、データ及び情報を送信することができる。受信器１１２２は外部装置（例えば、基地局）から各種信号、データ及び情報を受信することができる。プロセッサ１１２３は端末装置１１２０の動作全般を制御することができる。
【０２５８】
本発明の一例に係る端末装置１１２０は、下りリンク制御チャネル（例えば、Ｅ−ＰＤＣＣＨ）を受信するように構成することができる。端末装置１１２０のプロセッサ１１２３は、下りリンク制御チャネルに対して用いられた一つのアンテナポート（すなわち、代表ＡＰ）を決定するように構成することができる。また、プロセッサ１１２３は、一つのアンテナポートを用いて下りリンク制御チャネルを受信器１１２２を介して受信でき、このとき、下りリンク制御チャネルの復調は一つのアンテナポートに対する参照信号（ＵＥ−特定参照信号又はＤＭＲＳ）に基づいて行うことができる。ここで、一つのアンテナポート（すなわち、代表ＡＰ）のインデックスは、本発明で説明する様々な方案によって決定することができる。例えば、端末１１２０の識別子から導出される（Ｅ）ＣＣＥインデックスに基づいて一つの代表ＡＰインデックスを決定することができる。
【０２５９】
本発明の他の例に係る端末装置１１２０は、確認応答情報を送信するように構成することもできる。端末装置１１２０のプロセッサ１１２３は、上りリンク制御チャネルリソースを用いて下りリンクデータチャネルに対する確認応答情報を送信器１１２１を介して送信するように構成することができる。ここで、ＰＵＣＣＨリソースのインデックスは、本発明で説明する様々な方案によって決定することができる。例えば、端末１１２０の識別子から導出される（Ｅ）ＣＣＥインデックスに基づいてＰＵＣＣＨリソースのインデックスを決定することができる。
【０２６０】
端末装置１１２０のプロセッサ１１２３は、その他にも、端末装置１１２０が受信した情報、外部に送信する情報などを演算処理する機能を果たし、メモリー１１２４は、演算処理された情報などを所定時間記憶することができ、バッファー（不図示）などの構成要素に取り替えられてもよい。
【０２６１】
このような基地局装置１１１０及び端末装置１１２０の具体的な構成は、前述した本発明の様々な実施例で説明した事項が独立して適用されたり、又は２つ以上の実施例が同時に適用されるように具現することができ、重複する内容については明確性のために説明を省略する。
【０２６２】
また、図１３の基地局装置１１１０についての説明は、下りリンク送信主体又は上りリンク受信主体としての中継機装置にも同様に適用されてもよく、端末装置１１２０についての説明は、上りリンク送信主体又は下りリンク受信主体としての中継機装置にも同様に適用されてもよい。
【０２６３】
上述した本発明の実施例は様々な手段を用いて具現することができる。例えば、本発明の実施例は、ハードウェア、ファームウェア（ｆｉｒｍｗａｒｅ）、ソフトウェア又はそれらの結合などによって具現することができる。
【０２６４】
ハードウェアによる具現の場合、本発明の実施例に係る方法は、一つ又はそれ以上のＡＳＩＣｓ（Ａｐｐｌｉｃａｔｉｏｎ  Ｓｐｅｃｉｆｉｃ  Ｉｎｔｅｇｒａｔｅｄ  Ｃｉｒｃｕｉｔｓ）、ＤＳＰｓ（Ｄｉｇｉｔａｌ  Ｓｉｇｎａｌ  Ｐｒｏｃｅｓｓｏｒｓ）、ＤＳＰＤｓ（Ｄｉｇｉｔａｌ  Ｓｉｇｎａｌ  Ｐｒｏｃｅｓｓｉｎｇ  Ｄｅｖｉｃｅｓ）、ＰＬＤｓ（Ｐｒｏｇｒａｍｍａｂｌｅ  Ｌｏｇｉｃ  Ｄｅｖｉｃｅｓ）、ＦＰＧＡｓ（Ｆｉｅｌｄ  Ｐｒｏｇｒａｍｍａｂｌｅ  Ｇａｔｅ  Ａｒｒａｙｓ）、プロセッサ、コントローラ、マイクロコントローラ、マイクロプロセッサなどによって具現することができる。
【０２６５】
ファームウェアやソフトウェアによる具現の場合、本発明の実施例に係る方法は、以上で説明された機能又は動作を実行するモジュール、手順又は関数などの形態で具現することができる。ソフトウェアコードは、メモリーユニットに保存され、プロセッサによって駆動されてよい。メモリーユニットは、プロセッサの内部又は外部に設けられ、既に公知の様々な手段によってプロセッサとデータを交換することができる。
【０２６６】
以上開示された本発明の好ましい実施例についての詳細な説明は、当業者が本発明を具現して実施できるように提供された。以上では本発明の好適な実施例を参照して説明したが、当該技術の分野における熟練した当業者に理解されるように、本発明の領域から逸脱しない範囲内で本発明を様々に修正及び変更することもできる。例えば、当業者は、上記の実施例に記載された各構成を互いに組み合わせる方式で用いてもよい。したがって、本発明は、ここに開示されている実施形態に制限されるものではなく、ここに開示されている原理及び新規な特徴と一致する最も広い範囲を与えるためのものである。
【０２６７】
本発明は、本発明の精神及び必須特徴から逸脱することなく、他の特定の形態に具体化することができる。そのため、上記の詳細な説明はいずれの面においても制約的に解釈してはならず、例示的なものとして考慮しなければならない。本発明の範囲は、添付した請求項の合理的解釈によって定めなければならず、本発明の等価的範囲内における変更はいずれも本発明の範囲に含まれる。本発明は、ここに開示されている実施形態に制限されるものではなく、ここに開示されている原理及び新規な特徴と一致する最も広い範囲を有するものである。また、特許請求の範囲で明示的な引用関係を有しない請求項を結合して実施例を構成してもよく、出願後の補正によって新しい請求項として含めてもよい。
本願明細書は、例えば、以下の項目も提供する。
（項目１）
無線通信システムにおいて端末が確認応答情報を送信する方法であって、
上りリンク制御チャネルリソースを用いて下りリンクデータチャネルに対する確認応答情報を送信することを含み、
前記上りリンク制御チャネルリソースのインデックスは、前記端末の識別子から導出される下りリンク制御チャネルの代表アンテナポートインデックスに基づいて決定される、確認応答情報送信方法。
（項目２）
前記下りリンク制御チャネルの代表アンテナポートインデックスは、前記下りリンク制御チャネルの複数個のＣＣＥの中で前記端末の識別子から導出される代表ＣＣＥ（Ｃｏｎｔｒｏｌ  Ｃｈａｎｎｅｌ  Ｅｌｅｍｅｎｔ）に対応するアンテナポートのインデックスである、項目１に記載の確認応答情報送信方法。
（項目３）
前記上りリンク制御チャネルリソースのインデックスは、
【化２６】
0005908607.tif 000043
であり、
ｎ＊は、前記代表ＣＣＥのインデックスに対応する値であり、
ｋは、前記下りリンク制御チャネルのＤＣＩ（Ｄｏｗｎｌｉｎｋ  Ｃｏｎｔｒｏｌ  Ｉｎｆｏｒｍａｔｉｏｎ）フォーマットの所定のフィールドによって指示される値であり、
【化２７】
0005908607.tif 000044
は、上位層シグナリングによって前記上りリンク制御チャネルリソース領域の始点を知らせるオフセット値である、項目２に記載の確認応答情報送信方法。
（項目４）
前記端末の識別子から導出される前記アンテナポートのインデックスはＡＰであり、
ＡＰ＝ｐ＋ｎ’＊Ｚであり、
ｐは、前記下りリンク制御チャネルに対して使用可能なアンテナポートインデックスのうち最小値であり、
ｎ’は、前記代表ＣＣＥのインデックスを決定するパラメータであり、
Ｚは、１又は２である、
項目２に記載の確認応答情報送信方法。
（項目５）
【化２８】
0005908607.tif 000045
であり、
ｎＣＣＥは、前記下りリンク制御チャネル送信に用いられるＣＣＥインデックスのうち最低の値であり、
ｄは、一つのリソースブロック対（ｒｅｓｏｕｒｃｅ  ｂｌｏｃｋ  ｐａｉｒ）において形成されるＣＣＥの個数であり、
Ｘは、前記端末の識別子であり、
Ｌは、前記下りリンク制御チャネルの組合せレベルであり、
ｍｏｄは、モジューロ演算を意味し、
ｍｉｎ（Ｌ，ｄ）は、Ｌとｄのうち最小値を意味する、項目４に記載の確認応答情報送信方法。
（項目６）
前記端末の識別子は、ｎＲＮＴＩである、項目５に記載の確認応答情報送信方法。
（項目７）
前記端末の識別子から導出される前記アンテナポートは、前記下りリンク制御チャネルの復調に用いられる参照信号のアンテナポートである、項目１に記載の確認応答情報送信方法。
（項目８）
前記端末が前記確認応答情報の送信のために前記上りリンク制御チャネルリソース及び追加的な上りリンク制御チャネルリソースを用いる場合に、
前記追加的な上りリンク制御チャネルリソースのインデックスは、前記上りリンク制御チャネルリソースのインデックス＋１と決定される、項目１に記載の確認応答情報送信方法。
（項目９）
前記下りリンク制御チャネルの組合せレベルは、２以上である、項目１に記載の確認応答情報送信方法。
（項目１０）
前記下りリンク制御チャネルは、ローカル（ｌｏｃａｌｉｚｅｄ）方式で送信される、項目１に記載の確認応答情報送信方法。
（項目１１）
前記下りリンクデータチャネルの送信は、前記下りリンク制御チャネルの検出によって指示される、項目１に記載の確認応答情報送信方法。
（項目１２）
前記無線通信システムはＦＤＤ（Ｆｒｅｑｕｅｎｃｙ  Ｄｉｖｉｓｉｏｎ  Ｄｕｐｌｅｘ）を支援する、項目１に記載の確認応答情報送信方法。
（項目１３）
サブフレームｎ−４における前記下りリンクデータチャネルに対する前記確認応答情報は、サブフレームｎで送信される、項目１に記載の確認応答情報送信方法。
（項目１４）
前記上りリンク制御チャネルは、ＰＵＣＣＨ（Ｐｈｙｓｉｃａｌ  Ｕｐｌｉｎｋ  Ｃｏｎｔｒｏｌ  Ｃｈａｎｎｅｌ）であり、
前記下りリンク制御チャネルは、Ｅ−ＰＤＣＣＨ（Ｅｎｈａｎｃｅｄ−Ｐｈｙｓｉｃａｌ  Ｄｏｗｎｌｉｎｋ  Ｃｏｎｔｒｏｌ  Ｃｈａｎｎｅｌ）であり、
前記下りリンクデータチャネルは、ＰＤＳＣＨ（Ｐｈｙｓｉｃａｌ  Ｄｏｗｎｌｉｎｋ
Ｄａｔａ  Ｃｈａｎｎｅｌ）であり、
前記ＣＣＥは、ＥＣＣＥ（Ｅｎｈａｎｃｅｄ  ＣＣＥ）である、項目１に記載の確認応答情報送信方法。
（項目１５）
無線通信システムにおいて確認応答情報を送信する端末装置であって、
受信器と、
送信器と、
プロセッサと、を備え、
前記プロセッサは、上りリンク制御チャネルリソースを用いて下りリンクデータチャネルに対する確認応答情報を、前記送信器を介して送信するように構成され、
前記上りリンク制御チャネルリソースのインデックスは、前記端末の識別子から導出される下りリンク制御チャネルの代表アンテナポートインデックスに基づいて決定される、確認応答情報送信端末装置。
【産業上の利用可能性】
【０２６８】
上述したような本発明の実施の形態は様々な移動通信システムに適用可能である。
【図１】
0005908607.tif 000054
【図２】
0005908607.tif 000055
【図３】
0005908607.tif 000056
【図４】
0005908607.tif 000057
【図５】
0005908607.tif 000058
【図６】
0005908607.tif 000059
【図７】
0005908607.tif 000060
【図８】
0005908607.tif 000061
【図９】
0005908607.tif 000062
【図１０】
0005908607.tif 000063
【図１１】
0005908607.tif 000064